(57)【特許請求の範囲】
【請求項１】
口腔に作用する機能部品と、前記機能部品を支持する装置本体とを含む口腔衛生装置において、
前記機能部品は、第１機能部品および第２機能部品を有し、
前記第１機能部品は、前記第２機能部品を収容する空間を有し、
前記第２機能部品は、前記第１機能部品内の空間に位置し、
前記装置本体および前記第１機能部品は、前記装置本体および前記第１機能部品を互いに結合および分離するための第１部品結合構造を有し、
前記口腔衛生装置は、前記第１機能部品内の空間への異物の浸入を妨げる浸入規制構造を有する。
【請求項２】
請求項１において、
前記浸入規制構造は、前記装置本体または前記第２機能部品と前記第１機能部品との隙間をシールする弾性部材を有する。
【請求項３】
請求項２において、
前記弾性部材は、前記第１機能部品の内面と前記第２機能部品の外面との間に位置し、前記第１機能部品の内面および前記第２機能部品の外面に密着する。
【請求項４】
請求項２または３において、
前記装置本体、前記第１機能部品、または前記第２機能部品は、前記弾性部材が嵌め込まれる取付溝を有し、
前記弾性部材は、前記取付溝に嵌め込まれる基礎弾性部と、前記基礎弾性部から突出する変形弾性部とを有し、
前記変形弾性部は、前記装置本体、前記第１機能部品、および前記第２機能部品のうちの前記取付溝を有する部材に対向する部材の面に接触し、
前記変形弾性部は、前記基礎弾性部よりも肉厚が小さい。
【請求項５】
請求項２〜４のいずれか一項において、
前記装置本体は、前記第１機能部品内の空間に挿入される挿入部分を有し、
前記弾性部材は、前記挿入部分に取り付けられている。
【請求項６】
請求項２〜５のいずれか一項において、
前記弾性部材は、前記第１機能部品の外面側に露出する部分を有する。
【請求項７】
請求項１〜６のいずれか一項において、
前記装置本体および前記第２機能部品は、前記装置本体および前記第２機能部品を互いに結合および分離するための第２部品結合構造を有する。
【請求項８】
請求項２〜６のいずれか一項を引用する請求項７において、
前記装置本体は、前記第２部品結合構造として、前記第２機能部品が嵌め込まれる本体結合部分を有し、
前記本体結合部分は、前記弾性部材が嵌め込まれる取付溝と、前記取付溝の幅方向において前記取付溝をまたいで形成される通気溝とを有する。
【請求項９】
請求項１〜８のいずれか一項において、
前記第１機能部品は、前記第１機能部品内の空間と前記第１機能部品の外部とを互いに連通する通気部分を有する。
【請求項１０】
請求項９において、
前記通気部分は、前記第１機能部品の壁部を貫通する連通孔を有する。
【請求項１１】
請求項９または１０において、
前記通気部分は、前記第１機能部品の壁部の一部を構成する半透過膜を有する。
【請求項１２】
請求項１〜１１のいずれか一項において、
電動歯ブラシとしての前記口腔衛生装置は、前記第１機能部品としての歯ブラシ部品と、偏心分銅付きの出力軸を有する電動モーターとを有する。
【発明の詳細な説明】
【技術分野】
【０００１】
本発明は、口腔に作用する機能部品と、機能部品を支持する装置本体とを含む口腔衛生装置に関する。
【背景技術】
【０００２】
特許文献１は、口腔衛生装置の一例として電動歯ブラシを開示する。この電動歯ブラシは、本体ケース、把持ケース、歯ブラシ部品（機能部品）、キャップ、および電動モーターを有する。本体ケースおよび歯ブラシ部品は、互いに結合および分離が可能な構造を有する。
【先行技術文献】
【特許文献】
【０００３】
【特許文献１】特開２００９−２９４６３５号公報
【発明の概要】
【発明が解決しようとする課題】
【０００４】
上記電動歯ブラシは、歯をブラッシングする機能以外の機能を有していない。このため、口腔衛生装置の利便性の観点からすると改善の余地が残されている。なお、ここでは電動歯ブラシの課題について言及したが、他の口腔衛生装置も同様の課題を有する。
【０００５】
本発明は、上記課題を解決するため、多様な機能を有する口腔衛生装置を提供することを目的とする。
【課題を解決するための手段】
【０００６】
・本発明の口腔衛生装置は、口腔に作用する機能部品と、前記機能部品を支持する装置本体とを含む口腔衛生装置において、前記機能部品は、第１機能部品および第２機能部品を有し、前記第１機能部品は、前記第２機能部品を収容する空間を有し、前記第２機能部品は、前記第１機能部品内の空間に位置し、前記装置本体および前記第１機能部品は、前記装置本体および前記第１機能部品を互いに結合および分離するための第１部品結合構造を有し、前記口腔衛生装置は、前記第１機能部品内の空間への異物の浸入を妨げる浸入規制構造を有する。
【０００７】
・この口腔衛生装置において、前記浸入規制構造は、前記装置本体または前記第２機能部品と前記第１機能部品との隙間をシールする弾性部材を有することが好ましい。
・この口腔衛生装置において、前記弾性部材は、前記第１機能部品の内面と前記第２機能部品の外面との間に位置し、前記第１機能部品の内面および前記第２機能部品の外面に密着することが好ましい。
【０００８】
・この口腔衛生装置において、前記装置本体、前記第１機能部品、または前記第２機能部品は、前記弾性部材が嵌め込まれる取付溝を有し、前記弾性部材は、前記取付溝に嵌め込まれる基礎弾性部と、前記基礎弾性部から突出する変形弾性部とを有し、前記変形弾性部は、前記装置本体、前記第１機能部品、および前記第２機能部品のうちの前記取付溝を有する部材に対向する部材の面に接触し、前記変形弾性部は、前記基礎弾性部よりも肉厚が小さいことが好ましい。
【０００９】
・この口腔衛生装置において、前記装置本体は、前記第１機能部品内の空間に挿入される挿入部分を有し、前記弾性部材は前記挿入部分に取り付けられていることが好ましい。
・この口腔衛生装置において、前記弾性部材は、前記第１機能部品の外面側に露出する部分を有することが好ましい。
【００１０】
・この口腔衛生装置において、前記装置本体および前記第２機能部品は、前記装置本体および前記第２機能部品を互いに結合および分離するための第２部品結合構造を有することが好ましい。
【００１１】
・この口腔衛生装置において、前記装置本体は、前記第２部品結合構造として、前記第２機能部品が嵌め込まれる本体結合部分を有し、前記本体結合部分は、前記弾性部材が嵌め込まれる取付溝と、前記取付溝の幅方向において前記取付溝をまたいで形成される通気溝とを有することが好ましい。
【００１２】
・この口腔衛生装置において、前記第１機能部品は、前記第１機能部品内の空間と前記第１機能部品の外部とを互いに連通する通気部分を有することが好ましい。
・この口腔衛生装置において、前記通気部分は、前記第１機能部品の壁部を貫通する連通孔を有することが好ましい。
【００１３】
・この口腔衛生装置において、前記通気部分は、前記第１機能部品の壁部の一部を構成する半透過膜を有することが好ましい。
・この口腔衛生装置において、電動歯ブラシとしての前記口腔衛生装置は、前記第１機能部品としての歯ブラシ部品と、偏心分銅付きの出力軸を有する電動モーターとを有することが好ましい。
【発明の効果】
【００１４】
本発明は、多様な機能を有する口腔衛生装置を提供する。
【図面の簡単な説明】
【００１５】
【図１】本発明の第１実施形態の口腔衛生装置について、（ａ）は斜視構造を示す斜視図、（ｂ）はキャップの一部破断状態の斜視構造を示す斜視図。
【図２】第１実施形態の口腔衛生装置について、（ａ）はキャップが分離された状態の斜視構造を示す斜視図、（ｂ）は（ａ）において歯ブラシアタッチメントの一部が破断された状態の斜視構造を示す斜視図。
【図３】第１実施形態の口腔衛生装置について、（ａ）は図２（ｂ）において把持ケースの一部が破断された状態の斜視構造を示す斜視図、（ｂ）は（ａ）においてアウターケースおよび装飾リングの一部が破断された状態の斜視構造を示す斜視図。
【図４】第１実施形態の口腔衛生装置について、（ａ）は図３（ｂ）においてインナーケースの一部が破断された状態の斜視構造を示す斜視図、（ｂ）は（ａ）において乾電池が省略された状態の斜視構造を示す斜視図。
【図５】第１実施形態の口腔衛生装置について、（ａ）は左側面構造を示す側面図、（ｂ）は正面構造を示す正面図、（ｃ）は平面構造を示す平面図、（ｄ）は底面構造を示す底面図。
【図６】第１実施形態の口腔衛生装置について、（ａ）はキャップが分離された状態の左側面構造を示す側面図、（ｂ）は正面構造を示す正面図、（ｃ）は平面構造を示す平面図、（ｄ）は底面構造を示す底面図。
【図７】第１実施形態の口腔衛生装置について、（ａ）は歯ブラシアタッチメントが分離された状態の左側面構造を示す側面図、（ｂ）は同状態の正面構造を示す正面図、（ｃ）は同状態の平面構造を示す平面図、（ｄ）は底面構造を示す底面図。
【図８】第１実施形態の口腔衛生装置について、分解斜視構造を示す斜視図。
【図９】第１実施形態の口腔衛生装置について、各部品の関係を模式的に示す模式図。
【図１０】第１実施形態の口腔衛生装置について、（ａ）は図５のＤ５Ａ−Ｄ５Ａ平面の断面構造を示す断面図、（ｂ）は図５のＤ５Ｂ−Ｄ５Ｂ平面の断面構造を示す断面図。
【図１１】第１実施形態の口腔衛生装置のキャップについて、（ａ）は正面構造を示す正面図、（ｂ）はＤ１１Ａ−Ｄ１１Ａ平面における右方向視の断面構造を示す断面図、（ｃ）はＤ１１Ａ−Ｄ１１Ａ平面における左方向視の断面構造を示す断面図、（ｄ）はＤ１１Ｂ−Ｄ１１Ｂ平面における断面構造を示す断面図、（ｅ）はＤ１１Ｃ−Ｄ１１Ｃ平面における断面構造を示す断面図、（ｆ）はＤ１１Ｄ−Ｄ１１Ｄ平面における断面構造を示す断面図。
【図１２】第１実施形態の口腔衛生装置の把持ケースについて、（ａ）は正面構造を示す正面図、（ｂ）は（ａ）のＤ１２Ａ−Ｄ１２Ａ平面の断面構造を示す断面図、（ｃ）は（ｄ）のＤ１２Ｂ−Ｄ１２Ｂ平面の断面構造を示す断面図、（ｄ）はＤ１２Ｃ−Ｄ１２Ｃ平面の断面構造を示す断面図、（ｅ）はＤ１２Ｄ−Ｄ１２Ｄ平面の断面構造を示す断面図、（ｆ）はＤ１２Ｅ−Ｄ１２Ｅ平面の断面構造を示す断面図。
【図１３】第１実施形態の口腔衛生装置の歯ブラシアタッチメントについて、（ａ）は正面構造を示す正面図、（ｂ）は背面構造を示す背面図、（ｃ）はＤ１３Ａ−Ｄ１３Ａ平面における断面構造を示す断面図、（ｄ）はＤ１３Ｂ−Ｄ１３Ｂ平面における断面構造を示す断面図、（ｅ）はＤ１３Ｃ−Ｄ１３Ｃ平面における断面構造を示す断面図、（ｆ）はＤ１３Ｄ−Ｄ１３Ｄ平面における断面構造を示す断面図。
【図１４】第１実施形態の口腔衛生装置のアウターケースについて、（ａ）は左側面構造を示す側面図、（ｂ）は右側面構造を示す側面図、（ｃ）は正面構造を示す正面図、（ｄ）は背面構造を示す背面図。
【図１５】第１実施形態の口腔衛生装置のアウターケースについて、（ａ）は平面構造を示す平面図、（ｂ）は底面構造を示す底面図、（ｃ）はＤ１５Ａ−Ｄ１５Ａ平面における断面構造を示す断面図、（ｄ）はＤ１５Ｂ−Ｄ１５Ｂ平面における後方向視の断面構造を示す断面図、（ｅ）はＤ１５Ｂ−Ｄ１５Ｂ平面における前方向視の断面構造を示す断面図。
【図１６】第１実施形態の口腔衛生装置のアウターケースについて、（ａ）は底面側かつ左側面側を視点とした斜視構造を示す斜視図、（ｂ）は平面側かつ右側面側を視点とした斜視構造を示す斜視図。
【図１７】第１実施形態の口腔衛生装置のステインケアアタッチメントについて、（ａ）は左側面構造を示す左側面図、（ｂ）は正面構造を示す正面図、（ｃ）は背面構造を示す背面図、（ｄ）はＤ１７Ａ−Ｄ１７Ａ平面における断面構造を示す断面図、（ｅ）は平面構造を示す平面図、（ｆ）は底面構造を示す底面図。
【図１８】第１実施形態の口腔衛生装置について、（ａ）は歯ブラシ本体の先端部分の左側面構造を示す側面図、（ｂ）は歯ブラシ本体の先端部分の正面構造を示す正面図、（ｃ）はＤ１８Ｂ−Ｄ１８Ｂ平面における部分断面構造を示す断面図、（ｄ）はＤ１８Ａ−Ｄ１８Ａ平面における部分断面構造を示す断面図。
【図１９】第１実施形態の口腔衛生装置のインナーケースについて、（ａ）は左側面構造を示す側面図、（ｂ）は右側面構造を示す側面図、（ｃ）は正面構造を示す正面図、（ｄ）は背面構造を示す背面図。
【図２０】第１実施形態の口腔衛生装置のインナーケースについて、（ａ）は底面側かつ左側面側を視点とした斜視構造を示す斜視図、（ｂ）は（ａ）のインナーケースがＸＺ平面において破断された状態を示す斜視図、（ｃ）は（ａ）のインナーケースがＹＺ平面において破断された状態を示す斜視図。
【図２１】第１実施形態の口腔衛生装置について、（ａ）は図１０（ａ）においてキャップおよび歯ブラシアタッチメントが省略された状態を示す断面図、（ｂ）は図１０（ｂ）においてキャップおよび歯ブラシアタッチメントが省略された状態を示す断面図。
【図２２】第１実施形態の口腔衛生装置について、（ａ）は装飾リングよりも上方向の部分の正面構造を示し、かつキャップがＹＺ平面において破断された状態を示す正面図、（ｂ）は装飾リングよりも上方向の部分の背面構造を示し、かつキャップがＹＺ平面において破断された状態を示す背面図。
【図２３】第１実施形態の口腔衛生装置について、（ａ）は装飾リングよりも上方向の部分の左側面構造を示し、かつ歯ブラシアタッチメントがＸＺ平面において破断された状態を示す側面図、（ｂ）は装飾リングよりも上方向の部分の背面構造を示し、かつ歯ブラシアタッチメントがＸＺ平面において破断された状態を示す背面図。
【図２４】第１実施形態の口腔衛生装置について、（ａ）は上部結合部分の一部が歯ブラシアタッチメント内に進入した状態を示す断面図、（ｂ）は上部結合部分の一部が（ａ）の状態から歯ブラシアタッチメント内にさらに進入した状態を示す断面図、（ｃ）は上部結合部分の一部が（ｂ）の状態から歯ブラシアタッチメント内にさらに進入した状態を示す断面図、（ｄ）は上部結合部分および歯ブラシアタッチメントが互いに結合した状態を示す断面図。
【図２５】第１実施形態の口腔衛生装置について、（ａ）は図２４のＤ２４Ａ−Ｄ２４Ａ平面の断面構造を示す断面図、（ｂ）は図２４のＤ２４Ｂ−Ｄ２４Ｂ平面の断面構造を示す断面図。
【図２６】第１実施形態の口腔衛生装置について、（ａ）は図１０（ａ）における先端結合部分、上部結合部分、およびその周辺の断面構造を示す断面図、（ｂ）はＤ２６Ａ−Ｄ２６Ａ平面の断面構造を示す断面図、（ｃ）はＤ２６Ｂ−Ｄ２６Ｂ平面の断面構造を示す断面図、（ｄ）はＤ２６Ｃ−Ｄ２６Ｃ平面の断面構造を示す断面図。
【図２７】第１実施形態の口腔衛生装置について、（ａ）は把持ケースがＸＺ平面において破断された状態の左側面構造を示す側面図、（ｂ）は把持ケースがＸＺ平面において破断された状態の右側面構造を示す側面図。
【図２８】第１実施形態の口腔衛生装置について、（ａ）は把持ケースがＹＺ平面において破断された状態の正面構造を示す正面図、（ｂ）は把持ケースがＹＺ平面において破断された状態の背面構造を示す背面図。
【図２９】第１実施形態の口腔衛生装置について、（ａ）は図２７および図２８のＤ２７Ａ−Ｄ２７Ａ平面の断面構造に相当し、かつ本体ケースおよび把持ケースの相対的な回転状態としての分離状態を示す断面図、（ｂ）は図２７および図２８のＤ２７Ｂ−Ｄ２７Ｂ平面の断面構造に相当し、かつ本体ケースおよび把持ケースの相対的な回転状態としての分離状態を示す断面図。
【図３０】第１実施形態の口腔衛生装置について、（ａ）は図２７および図２８のＤ２７Ａ−Ｄ２７Ａ平面の断面構造に相当し、かつ本体ケースおよび把持ケースの相対的な回転状態としてのオフ状態を示す断面図、（ｂ）は図２７および図２８のＤ２７Ｂ−Ｄ２７Ｂ平面の断面構造に相当し、かつ本体ケースおよび把持ケースの相対的な回転状態としてのオフ状態を示す断面図。
【図３１】第１実施形態の口腔衛生装置について、（ａ）は図２７および図２８のＤ２７Ａ−Ｄ２７Ａ平面の断面構造に相当し、かつ本体ケースおよび把持ケースの相対的な回転状態としてのオン状態を示す断面図、（ｂ）は図２７および図２８のＤ２７Ｂ−Ｄ２７Ｂ平面の断面構造に相当し、かつ本体ケースおよび把持ケースの相対的な回転状態としてのオン状態を示す断面図。
【図３２】第１実施形態の口腔衛生装置の陽極金具について、（ａ）は平面構造を示す平面図、（ｂ）は左側面構造を示す側面図、（ｃ）は正面構造を示す正面図。
【図３３】第１実施形態の口腔衛生装置の把持ケースについて、（ａ）は平面構造を示す平面図、（ｂ）は図２７および図２８のＤ２７Ｃ−Ｄ２７Ｃ平面の断面構造を示し、かつインナーケースおよび乾電池が省略された状態を示す断面図、（ｃ）は図２７および図２８のＤ２７Ｃ−Ｄ２７Ｃ平面の断面構造を示し、かつ乾電池が省略された状態を示す断面図。
【図３４】第１実施形態の口腔衛生装置の把持ケースについて、（ａ）は図３３（ｂ）の斜視構造を示す斜視図、（ｂ）は図３３（ｃ）の斜視構造を示す斜視図。
【図３５】第１実施形態の口腔衛生装置の把持ケースについて、（ａ）は図３４（ｂ）において乾電池が挿入された状態を示す斜視図、（ｂ）は（ａ）のＸＺ平面における右方向視の断面構造を示す断面図。
【図３６】本発明の第２実施形態の口腔衛生装置について、（ａ）は歯ブラシアタッチメントの一部が破断された状態の斜視構造を示す斜視図、（ｂ）は歯間ブラシアタッチメントが歯ブラシ本体から分離された状態を示す斜視図。
【図３７】第２実施形態の口腔衛生装置の歯間ブラシアタッチメントについて、（ａ）は左側面構造を示す側面図、（ｂ）は正面構造を示す正面図、（ｃ）は背面構造を示す背面図、（ｄ）は平面構造を示す平面図、（ｅ）は底面構造を示す底面図。
【図３８】第２実施形態の口腔衛生装置について、（ａ）は歯ブラシ本体の先端部分の左側面構造を示す側面図、（ｂ）は歯ブラシ本体の先端部分の背面構造を示す背面図、（ｃ）はＤ３８Ｂ−Ｄ３８Ｂ平面における部分断面構造を示す断面図、（ｄ）はＤ３８Ａ−Ｄ３８Ａ平面における部分断面構造を示す断面図。
【図３９】第２実施形態の口腔衛生装置について、（ａ）は挿入部分の一部が先端結合部分内に進入した状態を示す断面図、（ｂ）は挿入部分の一部が（ａ）の状態から先端結合部分内にさらに進入した状態を示す断面図、（ｃ）は挿入部分および先端結合部分が互いに結合した状態を示す断面図、（ｄ）は挿入部分および先端結合部分の部分拡大構造を示す断面図。
【図４０】本発明の第３実施形態の口腔衛生装置について、（ａ）は歯ブラシアタッチメントの一部が破断された状態の斜視構造を示す斜視図、（ｂ）は歯間ブラシアタッチメントが歯ブラシ本体から分離された状態を示す斜視図。
【図４１】第３実施形態の口腔衛生装置における歯間ブラシアタッチメントの第１固定部品について、（ａ）は左側面構造を示す側面図、（ｂ）は正面構造を示す正面図、（ｃ）は背面構造を示す背面図、（ｄ）は平面構造を示す平面図、（ｅ）は底面構造を示す底面図。
【図４２】第３実施形態の口腔衛生装置における歯間ブラシアタッチメントの第２固定部品について、（ａ）は左側面構造を示す側面図、（ｂ）は正面構造を示す正面図、（ｃ）は背面構造を示す背面図、（ｄ）は斜視構造を示す斜視図、（ｅ）は平面構造を示す平面図、（ｆ）は底面構造を示す底面図。
【図４３】第３実施形態の口腔衛生装置における歯間ブラシアタッチメントについて、（ａ）は左側面構造を示す側面図、（ｂ）は正面構造を示す正面図、（ｃ）は背面構造を示す背面図、（ｄ）は平面構造を示す平面図、（ｅ）は底面構造を示す底面図。
【図４４】第３実施形態の口腔衛生装置における歯間ブラシアタッチメントについて、（ａ）はＤ４３Ａ−Ｄ４３Ａ平面の斜視断面構造を示す断面図、（ｂ）はＤ４３Ａ−Ｄ４３Ａ平面の断面構造を示す断面図、（ｃ）はＤ４３Ｂ−Ｄ４３Ｂ平面の断面構造を示す断面図。
【図４５】第３実施形態の口腔衛生装置について、（ａ）は歯ブラシ本体の先端部分の左側面構造を示す側面図、（ｂ）は歯ブラシ本体の先端部分の背面構造を示す背面図、（ｃ）はＤ４５Ｂ−Ｄ４５Ｂ平面の部分断面構造を示す断面図、（ｄ）はＤ４５Ａ−Ｄ４５Ａ平面の部分断面構造を示す断面図。
【図４６】第３実施形態の電動歯ブラシについて、（ａ）は固定部品の一部が先端結合部分内に進入した状態を示す断面図、（ｂ）は固定部品の一部が（ａ）の状態から先端結合部分内にさらに進入した状態を示す断面図、（ｃ）は固定部品および先端結合部分が互いに結合した状態を示す断面図、（ｄ）は固定部品および先端結合部分の一部拡大構造を示す断面図。
【図４７】第３実施形態の口腔衛生装置の取外工具について、（ａ）は斜視構造を示す斜視図、（ｂ）は嵌合部分が先端結合部分に嵌め込まれた状態を示す斜視図。
【図４８】第３実施形態の口腔衛生装置について、（ａ）は取外工具が取外位置に配置された状態を示す動作図、（ｂ）は取外工具の嵌合部分が固定部品に押し付けられた状態を示す動作図、（ｃ）は固定部品が先端結合部分から取り外された状態を示す動作図。
【図４９】本発明のその他の実施形態における口腔衛生装置について、（ａ）は後部嵌合凸部および後方窓部分の断面構造の一例を示す断面図、（ｂ）は後部嵌合凸部および後方窓部分の断面構造の別の一例を示す断面図。
【図５０】本発明のその他の実施形態における口腔衛生装置について、先端結合部分、上部結合部分、およびその周辺の断面構造を示す断面図。
【図５１】本発明のその他の実施形態における口腔衛生装置について、先端結合部分、上部結合部分、およびその周辺の断面構造を示す断面図。
【図５２】本発明のその他の実施形態における口腔衛生装置について、ＸＺ平面における電動歯ブラシの断面構造を示す断面図。
【図５３】本発明のその他の実施形態における口腔衛生装置について、ＸＺ平面における電動歯ブラシの断面構造を示す断面図。
【図５４】本発明のその他の実施形態における電動歯ブラシについて、先端結合部分の斜視構造を示す斜視図。
【図５５】本発明のその他の実施形態における電動歯ブラシについて、先端結合部分の斜視構造を示す斜視図。
【図５６】本発明のその他の実施形態における口腔衛生装置について、（ａ）はキャップの一部が破断された状態の斜視構造を示す斜視図、（ｂ）は歯ブラシアタッチメントの一部が破断された状態の斜視構造を示す斜視図。
【発明を実施するための形態】
【００１６】
（第１実施形態）
携帯型口腔衛生装置１に関する用語について以下のとおり定義する。
（Ａ）Ｚ方向は、装置１の長手方向を示す。
（Ｂ）Ｙ方向は、装置１の正面視においてＺ方向と直交する方向を示す。
（Ｃ）Ｘ方向は、装置１の側面視においてＺ方向と直交する方向を示す。
（Ｄ）Ｘ軸は、Ｘ方向を規定する座標軸を示す。
（Ｅ）Ｙ軸は、Ｙ方向を規定する座標軸を示す。
（Ｆ）Ｚ軸は、Ｚ方向を規定する座標軸を示す。
（Ｇ）ＸＹ平面は、Ｘ軸およびＹ軸により規定される平面を示す。
（Ｈ）ＸＺ平面は、Ｘ軸およびＺ軸により規定される平面を示す。
（Ｉ）ＹＺ平面は、Ｙ軸およびＺ軸により規定される平面を示す。
（Ｊ）前方向ＸＡは、Ｘ方向において背面側から正面側に向かう方向を示す。
（Ｋ）後方向ＸＢは、Ｘ方向において正面側から背面側に向かう方向を示す。
（Ｌ）右方向ＹＡは、正面視のＹ方向において左側から右側に向かう方向を示す。
（Ｍ）左方向ＹＢは、正面視のＹ方向において右側から左側に向かう方向を示す。
（Ｎ）上方向ＺＡは、Ｚ方向において装置１の底部から先端に向かう方向を示す。
（Ｏ）下方向ＺＢは、Ｚ方向において装置１の先端から底部に向かう方向を示す。
（Ｐ）動径方向は、ＸＹ平面上においてＺ軸を中心とした動径の方向を示す。
（Ｑ）外方向は、動径方向においてＺ軸から離れる方向を示す。
（Ｒ）内方向は、動径方向においてＺ軸に近づく方向を示す。
【００１７】
なお、動径方向は、中心軸と別の点との２点を結ぶ線分について、中心軸を固定するとともに別の点を動かすことにより形成される円を仮想円としたとき、この仮想円の半径である動径の方向に相当する。
【００１８】
図１（ａ）は、携帯型口腔衛生装置１の外観斜視構造を示す。携帯型口腔衛生装置１は、歯を清掃する電動歯ブラシ２と、電動歯ブラシ２の歯ブラシアタッチメント５０を保護するキャップ８０とを有する。キャップ８０は、歯ブラシアタッチメント５０の周囲を覆う外周壁部８１と、外周壁部８１の上側の開口部分を閉塞する上側壁部８２とを有する。上側壁部８２は、円弧形状を有する２つの通気孔８２Ａを有する。
【００１９】
図１（ｂ）は、図１（ａ）においてキャップ８０がＸＺ平面において破断された携帯型口腔衛生装置１を示す。電動歯ブラシ２は、各種の部品を内蔵する歯ブラシ本体１０と、複数のブリッスル束５１が植えられた歯ブラシアタッチメント５０とを有する。
【００２０】
図２（ａ）は、図１（ｂ）においてキャップ８０が分離された携帯型口腔衛生装置１、すなわち電動歯ブラシ２を示す。歯ブラシ本体１０は、歯ブラシアタッチメント５０と結合する本体ケース１１と、ユーザーが把持する把持ケース７０と、電動歯ブラシ２の美観を高める装飾リング１２とを有する。
【００２１】
装飾リング１２は、複数の装飾部分１２Ａを有する。１つの装飾部分１２Ａは、四角錐形状を有する。各装飾部分１２Ａは、装飾リング１２の周方向において等間隔に形成されている。装飾リング１２の外面（以下、「装飾面１２Ｚ」）は、携帯型口腔衛生装置１の設置面に対して２点以上で接触する形状を有する。また装飾面１２Ｚは、蒸着用塗料により塗装されている。蒸着された塗料は、金属光沢を有する皮膜を形成する。
【００２２】
図２（ｂ）は、図２（ａ）において歯ブラシアタッチメント５０がＸＺ平面において破断された携帯型口腔衛生装置１を示す。本体ケース１１の一部分は、歯ブラシアタッチメント５０内の空間に位置する。
【００２３】
歯ブラシ本体１０は、本体ケース１１の先端部分にステインケアアタッチメント１００を有する。ステインケアアタッチメント１００は、歯ブラシアタッチメント５０内の空間に位置する。
【００２４】
図３（ａ）は、図２（ｂ）において把持ケース７０がＸＺ平面において破断された携帯型口腔衛生装置１を示す。本体ケース１１は、外部に露出する部分を有するアウターケース２０と、把持ケース７０およびアウターケース２０により覆われるインナーケース３０とを有する。把持ケース７０は、アウターケース２０およびインナーケース３０の周囲を覆う外周壁部７１と、外周壁部７１の下側の開口部分を閉塞する下側壁部７２と、下側壁部７２の外面に貼り付けられる防水シート（図示略）とを有する。
【００２５】
図５（ｄ）は、下側壁部７２の平面構造を示す。下側壁部７２は、把持ケース７０の外面側から内部の空間側に凹んだ中間凹部７２Ａと、中間凹部７２Ａと外周壁部７１とを接続する４つの溝７２Ｂと、把持ケース７０の内部の空間と外部の空間とを互いに連通する通気孔７２Ｃとを有する。またこの他に、通気孔７２Ｃを閉塞する防水シート（図示略）と、中間凹部７２Ａ、４つの溝７２Ｂ、および防水シートを覆う商品銘板（図示略）とを有する。防水シートは、気体の通過を許容するとともに液体の通過を許容しない材料により形成されている。すなわち、歯ブラシ本体１０の内圧を調整する機能を有する。
【００２６】
図３（ｂ）は、図３（ａ）においてアウターケース２０および装飾リング１２がＸＺ平面において破断された携帯型口腔衛生装置１を示す。インナーケース３０の一部分は、アウターケース２０内の空間に位置する。本体ケース１１は、アウターケース２０と把持ケース７０との隙間をシールする把持側シール部材２５と、アウターケース２０と歯ブラシアタッチメント５０との隙間をシールする歯ブラシ側シール部材２６とを有する。
【００２７】
把持側シール部材２５は、外部の異物がアウターケース２０および把持ケース７０の隙間から本体ケース１１の内部の空間に進入することを妨げる機能を有する。歯ブラシ側シール部材２６は、外部の異物がアウターケース２０および歯ブラシアタッチメント５０の隙間から歯ブラシアタッチメント５０内の上方の空間に進入することを妨げる機能を有する。なお、歯ブラシアタッチメント５０の内部に形成された空間のうちの歯ブラシ側シール部材２６によりシールされる上方の空間は、歯ブラシアタッチメント５０の内部においてステインケアアタッチメント１００が配置される空間を含む。
【００２８】
把持側シール部材２５および歯ブラシ側シール部材２６としては、それぞれリップ形状を有するシール部材が用いられている。把持側シール部材２５および歯ブラシ側シール部材２６の材料としては、合成ゴムが用いられている。合成ゴムとしては、ニトリルゴム、シリコーンゴム、アクリルゴム、スチレンブタジエンゴム、フッ素ゴム、またはエチレンプロピレンゴムを用いることができる。なお、合成ゴムに代えてエラストマーを用いることもできる。
【００２９】
図４（ａ）は、図３（ｂ）においてインナーケース３０がＸＺ平面において破断された携帯型口腔衛生装置１を示す。インナーケース３０は、歯ブラシアタッチメント５０を振動させる振動発生装置４０と、乾電池３を保持する電池保持部分３１とを有する。振動発生装置４０は、電動モーター４１と、偏芯分銅４３と、スペーサー４４とを有する。
【００３０】
図４（ｂ）は、図４（ａ）から乾電池３が省略された携帯型口腔衛生装置１を示す。把持ケース７０は、乾電池３の陽極と接触する陽極金具６４を有する。インナーケース３０は、陽極金具６４と接続される通電金具６７と、乾電池３の陰極と接触する陰極金具６３と、通電金具６７および陰極金具６３と電動モーター４１とを互いに接続する回路基板６１とを有する。
【００３１】
本体ケース１１の材料としては、歯ブラシアタッチメント５０のブラシステー５３の材料よりも硬い材料が用いられている。本体ケース１１およびブラシステー５３の材料の組み合わせとしては、例えば次のものが挙げられる。本体ケース１１の材料として、ガラス繊維入ＡＢＳ樹脂を用い、ブラシステー５３の材料としてポリアセタール樹脂を用いる。または、本体ケース１１の材料としてＡＢＳ樹脂を用い、ブラシステー５３の材料としてポリプロピレン樹脂を用いる。要するに、本体ケース１１およびブラシステー５３のそれぞれの機能上を維持するために必要な硬度を有する範囲内において、本体ケース１１がブラシステー５３に対して高い硬度を有する材料の組み合わせであれば、ここで例示した組み合わせに限らず他の組み合わせを選択することもできる。
【００３２】
なお、本体ケース１１のうちのアウターケース２０は、歯ブラシアタッチメント５０の結合および分離が所定回数にわたり繰り返し行われても必要な機能を維持するため、上記のとおりブラシステー５３よりも硬い材料を用いることが好ましい。一方、本体ケース１１のうちのインナーケース３０については、ブラシステー５３よりも軟らかい材料を用いても、本体ケース１１および歯ブラシアタッチメント５０の結合および分離にともなう耐久性の低下の懸念はないため、アウターケース２０とは異なる材料を選択することもできる。
【００３３】
図５を参照して、携帯型口腔衛生装置１の外観に関する構成について説明する。図５（ａ）は、携帯型口腔衛生装置１の左側面構造を示す。図５（ｂ）は、携帯型口腔衛生装置１の正面構造を示す。図５（ｃ）は、携帯型口腔衛生装置１の平面構造を示す。図５（ｄ）は、携帯型口腔衛生装置１の底面構造を示す。
【００３４】
携帯型口腔衛生装置１の外面１Ｚは、キャップ８０の外面（以下、「キャップ外面８０Ｚ」）と、装飾面１２Ｚと、把持ケース７０の外面（以下、「把持外面７０Ｚ」）とを有する。キャップ外面８０Ｚおよび把持外面７０Ｚは、滑らかに湾曲した形状を有する。
【００３５】
装飾面１２Ｚは、図５（ｃ）に示されるように、キャップ外面８０Ｚの周囲全体にわたりキャップ外面８０Ｚよりも外方向に位置する。また図５（ｄ）に示されるように、把持外面７０Ｚの周囲全体にわたり把持外面７０Ｚよりも外方向に位置する。
【００３６】
図５（ａ）に示されるように、装飾部分１２Ａのうちのキャップ外面８０Ｚおよび把持外面７０Ｚの正面および背面に対応する部分は、キャップ外面８０Ｚおよび把持外面７０Ｚに対する外方向への突出量として所定突出量ＬＡを有する。なお、所定突出量ＬＡは装飾部分１２Ａにおいて最も外方向に突出した部分とキャップ外面８０Ｚおよび把持外面７０Ｚとの距離に相当する。
【００３７】
図５（ｂ）に示されるように、装飾部分１２Ａのうちのキャップ外面８０Ｚおよび把持外面７０Ｚの右側面および左側面に対応する部分は、キャップ外面８０Ｚおよび把持外面７０Ｚに対する外方向への突出量として所定突出量ＬＢを有する。所定突出量ＬＢは、所定突出量ＬＡよりも大きい。なお、所定突出量ＬＢは装飾部分１２Ａにおいて最も外方向に突出した部分とキャップ外面８０Ｚおよび把持外面７０Ｚとの距離に相当する。
【００３８】
図６を参照して、キャップ８０が分離された状態における携帯型口腔衛生装置１の外観に関する構成について説明する。図６（ａ）は、携帯型口腔衛生装置１の左側面構造を示す。図６（ｂ）は、携帯型口腔衛生装置１の正面構造を示す。図６（ｃ）は、携帯型口腔衛生装置１の平面構造を示す。図６（ｄ）は、携帯型口腔衛生装置１の底面構造を示す。
【００３９】
電動歯ブラシ２の外面２Ｚは、歯ブラシアタッチメント５０の外面（以下、「歯ブラシ面５０Ｚ」）と、アウターケース２０の外面（以下、「アウター外面２０Ｚ」）と、装飾面１２Ｚと、把持外面７０Ｚとを有する。
【００４０】
装飾面１２Ｚは、図６（ｃ）に示されるように、歯ブラシ面５０Ｚおよびアウター外面２０Ｚの周囲全体にわたり歯ブラシ面５０Ｚおよびアウター外面２０Ｚよりも外方向に位置する。
【００４１】
図６（ａ）に示されるように、装飾部分１２Ａのうちのアウター外面２０Ｚの正面および背面に対応する部分は、アウター外面２０Ｚに対する外方向への突出量として所定突出量ＬＣを有する。なお、所定突出量ＬＣは装飾部分１２Ａにおいて最も外方向に突出した部分とアウター外面２０Ｚとの距離に相当する。
【００４２】
図６（ｂ）に示されるように、装飾部分１２Ａのうちのアウター外面２０Ｚの右側面および左側面に対応する部分は、アウター外面２０Ｚに対する外方向への突出量として所定突出量ＬＤを有する。所定突出量ＬＤは、所定突出量ＬＣよりも大きい。なお、所定突出量ＬＤは装飾部分１２Ａにおいて最も外方向に突出した部分とアウター外面２０Ｚとの距離に相当する。
【００４３】
図７を参照して、歯ブラシアタッチメント５０が分離された状態における携帯型口腔衛生装置１の外観に関する構成について説明する。図７（ａ）は、携帯型口腔衛生装置１の左側面構造を示す。図７（ｂ）は、携帯型口腔衛生装置１の正面構造を示す。図７（ｃ）は、携帯型口腔衛生装置１の平面構造を示す。図７（ｄ）は、携帯型口腔衛生装置１の底面構造を示す。
【００４４】
図７（ａ）に示されるように、先端結合部分２４のＸ方向の寸法は、上部結合部分２１のＸ方向の寸法よりも小さい。先端結合部分２４のうちの上方の部分は、先端結合部分２４のうちの下方の部分よりもＸ方向の寸法が小さい。
【００４５】
図７（ｃ）に示されるように、歯ブラシ側シール部材２６は、動径方向において先端結合部分２４の外面よりも外方向に突出する。また、先端結合部分２４の正面に対する歯ブラシ側シール部材２６の突出量は、先端結合部分２４の側面および背面に対する突出量よりも大きい。
【００４６】
図８および図９を参照して、各部品の結合構造について説明する。
図８は、ユーザーの使用にともない分離が可能な状態に分離された携帯型口腔衛生装置１の斜視構造を示す。ユーザーは、携帯型口腔衛生装置１を電動歯ブラシ２およびキャップ８０に分離することができる。また、電動歯ブラシ２を歯ブラシ本体１０および歯ブラシアタッチメント５０に分離することができる。また、歯ブラシ本体１０を本体ケース１１および把持ケース７０に分離することができる。
【００４７】
本体ケース１１は、アウターケース２０およびインナーケース３０を有する。インナーケース３０は、乾電池３を収容するための電池保持部分３１を有する。電池保持部分３１は、乾電池３を電池保持部分３１内の空間に差し込むため、および乾電池３を電池保持部分３１内の空間から取り出すための開口部分３１Ａを有する。
【００４８】
図９は、模式化した各部品の結合構造を示す。
携帯型口腔衛生装置１は、以下の５つの結合構造を有する。
（Ａ）電動歯ブラシ２およびキャップ８０は、互いに結合および分離することが可能なキャップ結合構造Ｒを有する。キャップ結合構造Ｒは、アウター外面２０Ｚに形成された２つのアウター側嵌合部分ＲＡと、キャップ８０の内面（以下、「キャップ内面８０Ｗ」）に形成された２つのキャップ側嵌合部分ＲＢとを有する。
【００４９】
（Ｂ）歯ブラシ本体１０および歯ブラシアタッチメント５０は、互いに結合および分離することが可能な第１部品結合構造Ｓを有する。第１部品結合構造Ｓは、アウター外面２０Ｚに形成された１つのアウター側嵌合部分ＳＡと、歯ブラシアタッチメント５０の背面壁部に形成された第１部品側嵌合部分ＳＢとを有する。
【００５０】
（Ｃ）アウターケース２０およびインナーケース３０は、互いに結合および分離することが可能な本体結合構造Ｔを有する。本体結合構造Ｔは、インナー外面３０Ｚに形成された２つのインナー側嵌合部分ＴＡと、アウター外面２０Ｚに形成された２つのアウター側嵌合部分ＴＢとを有する。
【００５１】
（Ｄ）本体ケース１１および把持ケース７０は、互いに結合および分離することが可能な把持結合構造Ｕを有する。把持結合構造Ｕは、アウターケース２０および把持ケース７０の相対的な回転を規制または許容する上側把持結合構造ＵＸと、インナーケース３０および把持ケース７０の相対的な回転を規制または許容する下側把持結合構造ＵＹとを有する。上側把持結合構造ＵＸおよび下側把持結合構造ＵＹは、協働して本体ケース１１および把持ケース７０を結合または分離する。
【００５２】
上側把持結合構造ＵＸは、把持ケース７０の内面（以下、「把持内面７０Ｗ」）に形成された２つの把持側嵌合部分ＵＡと、アウター外面２０Ｚに形成された２つのアウター側嵌合部分ＵＢとを有する。
【００５３】
下側把持結合構造ＵＹは、把持内面７０Ｗに形成された２つの把持側嵌合部分ＵＣと、インナーケース３０の外面（以下、「インナー外面３０Ｚ」）に形成された１つのインナー側嵌合部分ＵＤとを有する。
【００５４】
（Ｅ）歯ブラシ本体１０およびステインケアアタッチメント１００は、互いに結合および分離することが可能な第２部品結合構造Ｖを有する。第２部品結合構造Ｖは、先端結合部分２４に形成されたアウター側嵌合部分ＶＡと、ステインケアアタッチメント１００の第２部品側嵌合部分ＶＢとを有する。
【００５５】
なお、携帯型口腔衛生装置１における各結合構造による結合とは、それぞれの結合構造により互いに結合された２つの部品に対して力が作用しないとき、または２つの部品を互いに分離する方向に作用する力が所定の力よりも小さいとき、これらの２つの部品が相対的に動作することを規制する状態を示す。
【００５６】
図１０（ａ）は、図５のＤ５Ａ−Ｄ５Ａ平面の断面構造を示す。図１０（ｂ）は、図５のＤ５Ｂ−Ｄ５Ｂ平面の断面構造を示す断面図。また図１０は、本体ケース１１内に位置する各部品を外観表示している。
【００５７】
上部結合部分２１および先端結合部分２４は、全体が歯ブラシアタッチメント５０内に位置する。電動モーター４１は、全体が上部結合部分２１内に位置する。中間結合部分２２の外面は、キャップ内面８０Ｗと対向する。インナーケース３０のうちの上側の部分は、アウターケース２０内に位置する。インナーケース３０のうちの下側の部分は、把持ケース７０内に位置する。
【００５８】
図１１を参照して、キャップ８０の構成について説明する。図１１（ａ）は、キャップ８０の正面構造を示す。図１１（ｂ）は、図１１（ａ）のＤ１１Ａ−Ｄ１１Ａ平面における右方向ＹＡ視のキャップ８０の断面構造を示す。図１１（ｃ）は、図１１（ａ）のＤ１１Ａ−Ｄ１１Ａ平面における左方向ＹＢ視のキャップ８０の断面構造を示す。図１１（ｄ）は、図１１（ａ）〜図１１（ｃ）のＤ１１Ｂ−Ｄ１１Ｂ平面におけるキャップ８０の断面構造を示す。図１１（ｄ）は、図１１（ａ）〜図１１（ｃ）のＤ１１Ｃ−Ｄ１１Ｃ平面におけるキャップ８０の断面構造を示す。図１１（ｅ）は、図１１（ａ）〜図１１（ｃ）のＤ１１Ｄ−Ｄ１１Ｄ平面におけるキャップ８０の断面構造を示す。なお、図１１は各座標軸を省略している。図１１に関する説明中の座標は、図１〜図１０に示されるものと共通している。
【００５９】
キャップ８０は、歯ブラシアタッチメント５０およびアウターケース２０を案内する４つの接触部分８３と、図９のキャップ結合構造Ｒを構成する２つのキャップ側嵌合部分ＲＢとを有する。各接触部分８３は、キャップ８０の開口部分８４近傍から上側壁部８２までにわたり形成されている。右側の各接触部分８３と左側の各接触部分８３とは、Ｘ軸を中心として互いに対向する位置関係を有する。各キャップ側嵌合部分ＲＢは、接触部分８３上においてキャップ８０の開口部分８４付近に形成されている。また、接触部分８３におけるキャップ内面８０Ｗに対して外方向に凹む形状を有する。
【００６０】
図１２を参照して、把持ケース７０の構成について説明する。図１２（ａ）は、把持ケース７０の正面構造を示す。図１２（ｂ）は、図１２（ａ）のＤ１２Ａ−Ｄ１２Ａ平面における把持ケース７０の断面構造を示す。図１２（ｃ）は、図１２（ｂ）のＤ１２Ｂ−Ｄ１２Ｂ平面における把持ケース７０の断面構造を示す。図１２（ｄ）は、図１２（ａ）〜図１２（ｃ）のＤ１２Ｃ−Ｄ１２Ｃ平面における把持ケース７０の断面構造を示す。図１２（ｅ）は、図１２（ａ）〜図１２（ｃ）のＤ１２Ｄ−Ｄ１２Ｄ平面における把持ケース７０の断面構造を示す。図１２（ｆ）は、図１２（ａ）〜図１２（ｃ）のＤ１２Ｅ−Ｄ１２Ｅ平面における把持ケース７０の断面構造を示す。なお、図１２は各座標軸を省略している。図１２に関する説明中の座標は、図１〜図１０に示されるものと共通している。
【００６１】
把持ケース７０は、図９の上側把持結合構造ＵＸを構成する２つの把持側嵌合部分ＵＡと、図９の下側把持結合構造ＵＹを構成する２つの把持側嵌合部分ＵＣと、把持内面７０Ｗから内方向に突出した２つの縦リブ７６とを有する。またこの他に、陽極金具６４（図４参照）を固定するための固定部分７４と、本体ケース１１を内部の空間に挿入するための開口部分７３とを有する。
【００６２】
各把持側嵌合部分ＵＡは、把持内面７０Ｗにおいて開口部分７３付近に位置する。一方の把持側嵌合部分ＵＡと他方の把持側嵌合部分ＵＡは、Ｘ軸を中心として互いに対向する。各把持側嵌合部分ＵＣは、Ｚ方向において把持ケース７０の下側壁部７２から中間部分までにわたり形成されている。一方の把持側嵌合部分ＵＣと他方の把持側嵌合部分ＵＣとは、周方向においてインナーケース３０のインナー側嵌合部分ＵＤの大きさに対応した間隔を有する。
【００６３】
各縦リブ７６は、Ｚ軸まわりにおいて把持側嵌合部分ＵＡと対応する位置に形成されている。また、Ｚ方向において把持ケース７０の下側壁部７２から把持側嵌合部分ＵＡの下方付近までにわたり形成されている。
【００６４】
図１３を参照して、歯ブラシアタッチメント５０の構成について説明する。図１３（ａ）は、歯ブラシアタッチメント５０の正面構造を示す。図１３（ｂ）は、歯ブラシアタッチメント５０の背面構造を示す。図１３（ｃ）は、図１３（ａ）のＤ１３Ａ−Ｄ１３Ａ平面における歯ブラシアタッチメント５０の断面構造を示す。図１３（ｄ）は、図１３（ａ）〜図１３（ｃ）のＤ１３Ｂ−Ｄ１３Ｂ平面における歯ブラシアタッチメント５０の断面構造を示す。図１３（ｅ）は、図１３（ａ）〜図１３（ｃ）のＤ１３Ｃ−Ｄ１３Ｃ平面における歯ブラシアタッチメント５０の断面構造を示す。図１３（ｅ）は、図１３（ａ）〜図１３（ｃ）のＤ１３Ｄ−Ｄ１３Ｄ平面における歯ブラシアタッチメント５０の断面構造を示す。なお、図１３は各座標軸を省略している。図１３に関する説明中の座標は、図１〜図１０に示されるものと共通している。
【００６５】
歯ブラシアタッチメント５０は、歯を清掃する複数のブリッスル束５１と、各ブリッスル束５１が植毛されるブラシヘッド５２と、本体ケース１１と結合するブラシステー５３とを有する。ブラシヘッド５２およびブラシステー５３は、同一の樹脂材料により単一の部材として形成される。
【００６６】
ブラシステー５３は、図９の第１部品結合構造Ｓを構成する第１部品側嵌合部分ＳＢと、アウターケース２０の案内溝２１Ａ（図１４参照）に嵌め込まれる案内リブ５４とを有する。またこの他に、アウターケース２０とは別構造のアウターケース（以下、「別構造ケース」）と互いに結合および分離するための回転結合構造５５を有する。別構造ケースは、第１部品側嵌合部分ＳＢと結合および分離する別構造嵌合凸部と、ユーザーにより歯ブラシアタッチメント５０が別構造ケースに結合されるとき、ユーザーに対して操作感を付与する別構造操作感付与部とを有する。なお、別構造ケースの図示は省略する。
【００６７】
第１部品側嵌合部分ＳＢは、ブラシステー５３の背面壁部に形成された貫通孔を有する。案内リブ５４は、歯ブラシアタッチメント５０の開口部分５９からＺ方向の中間部分までにわたり形成されている。
【００６８】
回転結合構造５５は、別構造操作感付与部を嵌め込むための凹嵌合部分５６と、別構造操作感付与部に反力を付与する操作感付与部５７と、別構造操作感付与部を操作感付与部５７に案内する回転案内溝５８とを有する。
【００６９】
凹嵌合部分５６は、凹嵌合部分５６に嵌め込まれた別構造操作感付与部と接触する規制立面５６Ａを有する。操作感付与部５７は、別構造操作感付与部を凹嵌合部分５６に案内する案内斜面５７Ａと、凹嵌合部分５６に嵌め込まれた別構造操作感付与部と接触する規制立面５７Ｂと、案内斜面５７Ａと規制立面５７Ｂとを接続する中間曲面５７Ｃとを有する。回転案内溝５８は、別構造嵌合凸部を開口部分５９から第１部品側嵌合部分ＳＢまで案内する形状を有する。
【００７０】
ユーザーは、歯ブラシアタッチメント５０を別構造ケースに結合するとき、回転案内溝５８に別構造嵌合凸部を挿入する。次に、歯ブラシアタッチメント５０を別構造ケースに対してＺ軸まわりで回転させることにより、別構造嵌合凸部を第１部品側嵌合部分ＳＢに嵌め込む。このとき、別構造操作感付与部が回転案内溝５８から案内斜面５７Ａおよび中間曲面５７Ｃを介して凹嵌合部分５６に移動する。別構造操作感付与部は、案内斜面５７Ａおよび中間曲面５７Ｃを乗り越えるとき、操作感付与部５７からの反力をユーザーに対して操作感として付与する。
【００７１】
第１部品側嵌合部分ＳＢに嵌め込まれた別構造嵌合凸部は、ブラシステー５３の背面壁部との接触によりブラシステー５３に対する移動が規制される。これにより、歯ブラシアタッチメント５０が別構造ケースに結合される。
【００７２】
ユーザーは、別構造嵌合凸部が第１部品側嵌合部分ＳＢからブラシステー５３の背面壁部の内面に乗り上げるために必要な力をブラシステー５３に付与することにより、歯ブラシアタッチメント５０を別構造ケースから分離することができる。
【００７３】
図１４を参照して、アウターケース２０の構成について説明する。図１４（ａ）は、アウターケース２０の左側面構造を示す。図１４（ｂ）は、アウターケース２０の右側面構造を示す。図１４（ｃ）は、アウターケース２０の正面構造を示す。図１４（ｄ）は、アウターケース２０の背面構造を示す。
【００７４】
アウターケース２０は、歯ブラシアタッチメント５０と結合する上部結合部分２１と、把持ケース７０と結合する下部結合部分２３と、上部結合部分２１および下部結合部分２３を互いに接続する中間結合部分２２とを有する。またこの他に、ステインケアアタッチメント１００と結合する先端結合部分２４を有する。先端結合部分２４、上部結合部分２１、中間結合部分２２、および下部結合部分２３は、同一の樹脂材料により単一の部材として形成される。
【００７５】
先端結合部分２４は、図９の第２部品結合構造Ｖを構成する１つのアウター側嵌合部分ＶＡ（図１５参照）と、Ｚ方向においてステインケアアタッチメント１００を支持する先端支持部分２４Ａと、歯ブラシ側シール部材２６を嵌め込むための取付溝２４Ｂとを有する。またこの他に、先端結合部分２４のうちの正面側の壁部を貫通する前方窓部分２４Ｃと、先端結合部分２４のうちの背面側の壁部を貫通する後方窓部分２４Ｄと、取付溝２４Ｂの幅方向において取付溝２４Ｂをまたいで形成される通気溝２４Ｆとを有する。
【００７６】
上部結合部分２１は、図９の第１部品結合構造Ｓを構成する１つのアウター側嵌合部分ＳＡと、歯ブラシアタッチメント５０の案内リブ５４を中間結合部分２２の対向面２２Ｃに向けて案内する案内溝２１Ａを有する。
【００７７】
中間結合部分２２は、図９のキャップ結合構造Ｒを構成する２つのアウター側嵌合部分ＲＡと、装飾リング１２の凹部が嵌め込まれる２つの固定部分２２Ａとを有する。またこの他に、把持側シール部材２５が嵌め込まれる嵌合溝２２Ｂと、歯ブラシアタッチメント５０の開口部分５９側の端面と対向する対向面２２Ｃとを有する。各固定部分２２Ａおよび各アウター側嵌合部分ＲＡは、中間結合部分２２の外面から動径方向に突出する形状を有する。
【００７８】
下部結合部分２３は、図９の上側把持結合構造ＵＸを構成する２つのアウター側嵌合部分ＵＢと、図９の本体結合構造Ｔを形成する２つのアウター側嵌合部分ＴＢとを有する。各アウター側嵌合部分ＴＢは、下部結合部分２３の壁部の一部を貫通する孔を有する。
【００７９】
各アウター側嵌合部分ＵＢは、上側把持結合構造ＵＸの把持側嵌合部分ＵＡの移動範囲を規制する第１回転溝ＵＢ１と、把持側嵌合部分ＵＡを第１回転溝ＵＢ１に案内する第２回転溝ＵＢ２と、第１回転溝ＵＢ１および第２回転溝ＵＢ２の境界に位置する境界リブＵＢ３とを有する。境界リブＵＢ３は、把持側嵌合部分ＵＡが第２回転溝ＵＢ２から第１回転溝ＵＢ１に移動するとき、および把持側嵌合部分ＵＡが第１回転溝ＵＢ１から第２回転溝ＵＢ２に移動するとき、把持ケース７０に反力を付与する機能を有する。
【００８０】
一方のアウター側嵌合部分ＵＢおよびアウター側嵌合部分ＴＢは、下部結合部分２３の外面のうちの右側面に位置する。他方のアウター側嵌合部分ＵＢおよびアウター側嵌合部分ＴＢは、下部結合部分２３の外面のうちの左側面に位置する。
【００８１】
図１５を参照して、アウターケース２０の内部の構成について説明する。図１５（ａ）は、アウターケース２０の平面構造を示す。図１５（ｂ）は、アウターケース２０の底面構造を示す。図１５（ｃ）は、図１５（ａ）のＤ１５Ａ−Ｄ１５Ａ平面の断面構造を示す。図１５（ｄ）は、図１５（ａ）のＤ１５Ｂ−Ｄ１５Ｂ平面における後方向ＸＢ視の断面構造を示す。図１５（ｅ）は、図１５（ａ）のＤ１５Ｂ−Ｄ１５Ｂ平面における前方向ＸＡ視の断面構造を示す。
【００８２】
中間結合部分２２の内面は、インナーケース３０の側面規制部分３２Ｃ（図１９参照）と接触する側面リブ２２Ｄと、インナーケース３０の正面規制部分３２Ｄ（図１９参照）に嵌め込まれる正面リブ２２Ｅとを有する。側面リブ２２Ｄおよび正面リブ２２Ｅは、アウターケース２０の長手方向に延びる形状を有する。
【００８３】
先端結合部分２４の内面は、挿入部分１３０の平面部１３２（図２６参照）と対向する対向部２４Ｇと、ステインケアアタッチメント１００の挿入部分１３０（図１７参照）の外面と接触する４つの縦リブ２４Ｈを有する。２つの縦リブ２４Ｈは、前方窓部分２４Ｃと隣り合う箇所に位置する。別の２つの縦リブ２４Ｈは、対向部２４Ｇにおいて後方窓部分２４Ｄと隣り合う箇所に位置する。各縦リブ２４Ｈは、先端結合部分２４の開口部分から底面までにわたり形成されている。
【００８４】
図１６を参照して、アウター側嵌合部分ＳＡの形状について説明する。
アウター側嵌合部分ＳＡは、上部結合部分２１の外面から後方向ＸＢに向けて突出する２つの直立壁部ＳＡ１と、各直立壁部ＳＡ１の間において上部結合部分２１の外面から後方向ＸＢに突出する中間凹部ＳＡ４とを有する。中間凹部ＳＡ４は、各直立壁部ＳＡ１に対して凹部を形成する。
【００８５】
各直立壁部ＳＡ１は、歯ブラシアタッチメント５０と結合するときにユーザーに操作感を付与する結合側接触面ＳＡ２と、歯ブラシアタッチメント５０と分離するときにユーザーに操作感を付与する分離側接触面ＳＡ３とを有する。結合側接触面ＳＡ２は、上部結合部分２１の外面に対して後方向ＸＢに直立した形状を有する。分離側接触面ＳＡ３は、上部結合部分２１の外面に対して下方向ＺＢから上方向ＺＡに向かうにつれて後方向ＸＢに向けて突出する形状を有する。
【００８６】
図１７を参照して、ステインケアアタッチメント１００の構成について説明する。図１７（ａ）は、ステインケアアタッチメント１００の左側面構造を示す。図１７（ｂ）は、ステインケアアタッチメント１００の正面構造を示す。図１７（ｃ）は、ステインケアアタッチメント１００の背面構造を示す。図１７（ｄ）は、Ｄ１７Ａ−Ｄ１７Ａ平面におけるステインケアアタッチメント１００の断面構造を示す。図１７（ｅ）は、ステインケアアタッチメント１００の平面構造を示す。図１７（ｆ）は、ステインケアアタッチメント１００の底面構造を示す。
【００８７】
ステインケアアタッチメント１００は、口腔内の部位に直接的に接触するアタッチメント本体１１０と、アタッチメント本体１１０の挿入部分１３０の形状を保持する芯部材１４０とを有する。
【００８８】
アタッチメント本体１１０は、口腔内の部位を清掃する清掃部分１２０と、清掃部分１２０を支持する挿入部分１３０とを有する。なお、挿入部分１３０は第２部品結合構造Ｖの第２部品側嵌合部分ＶＢ（図９参照）に相当する。
【００８９】
清掃部分１２０は、歯を研磨することにより歯のステインを除去する作用面１２１と、先端結合部分２４の先端支持部分２４Ａ（図１４参照）に接触する支持面１２２と、支持面１２２の周囲においてＲ加工が施された部分とを有する。
【００９０】
挿入部分１３０は、芯部材１４０が挿入される挿入穴１３１と、アウター側嵌合部分ＶＡの対向部２４Ｇ（図２６参照）に接触する平面部１３２とを有する。作用面１２１は、上方向ＺＡから下方向ＺＢに向かうにつれて後方向ＸＢから前方向ＸＡに傾斜する。
【００９１】
アタッチメント本体１１０および挿入部分１３０の材料としては、研磨剤入りのシリコーンゴムが用いられている。芯部材１４０の材料としては、アタッチメント本体１１０および挿入部分１３０よりも剛性が高い材料が用いられている。この材料の一例としては、ポリアセタールが挙げられる。
【００９２】
図１８を参照して、第２部品結合構造Ｖの詳細について説明する。図１８（ａ）は、先端結合部分２４の左側面構造を示す。図１８（ｂ）は、先端結合部分２４の正面構造を示す。図１８（ｃ）は、図１８（ｂ）のＤ１８Ｂ−Ｄ１８Ｂ平面の断面構造を示す。図１８（ｄ）は、図１８（ａ）のＤ１８Ａ−Ｄ１８Ａ平面の断面構造を示す。
【００９３】
アウターケース２０の上部結合部分２１、アウターケース２０の先端結合部分２４、およびステインケアアタッチメント１００の挿入部分１３０は、それぞれＸＹ平面に直交する中心軸を有する。
【００９４】
電動歯ブラシ２のＸＺ平面において、上部結合部分２１の中心軸、先端結合部分２４の中心軸、および挿入部分１３０の中心軸は互いに平行する。先端結合部分２４の中心軸および挿入部分１３０の中心軸は、上部結合部分２１の中心軸に対して後方向ＸＢに位置する。先端結合部分２４および挿入部分１３０は、同軸を有する。
【００９５】
アタッチメント本体１１０の挿入部分１３０は、全体が先端結合部分２４のアウター側嵌合部分ＶＡに挿入されている。清掃部分１２０の支持面１２２は、先端結合部分２４の先端支持部分２４Ａに接触する。
【００９６】
挿入部分１３０の外面における正面側の部分は、前方窓部分２４Ｃを介して先端結合部分２４の外部に露出する。挿入部分１３０の外周面における背面側の部分は、後方窓部分２４Ｄを介して先端結合部分２４の外部に露出する。
【００９７】
歯ブラシ本体１０の正面視において、支持面１２２の右方向ＹＡおよび左方向ＹＢの端は、先端支持部分２４Ａの右方向ＹＡおよび左方向ＹＢの端よりも外方向側に位置する。歯ブラシ本体１０の側面視において、支持面１２２の後方向ＸＢの端は、先端支持部分２４Ａの後方向ＸＢの端よりも外方向側に位置する。また支持面１２２の前方向ＸＡの端は、先端支持部分２４Ａの前方向ＸＡの端よりも内方向側に位置する。
【００９８】
歯ブラシ側シール部材２６は、取付溝２４Ｂに嵌め込まれる環状部分２６Ａと、環状部分２６Ａから外方向に突出する突出部分２６Ｂとを有する。突出部分２６Ｂの肉厚は、環状部分２６Ａの肉厚よりも小さい。突出部分２６Ｂの先端部分は、歯ブラシアタッチメント５０の内面において取付溝２４Ｂと対向する部分に接触する（図２３参照）。環状部分２６Ａおよび突出部分２６Ｂは、同一のゴム材料により一体の部材として形成される。
【００９９】
図１９を参照して、インナーケース３０の構成について説明する。
インナーケース３０は、乾電池３（図８参照）を保持する電池保持部分３１と、回路基板６１を保持する基板保持部分３２と、振動発生装置４０を保持する装置保持部分３３とを有する。
【０１００】
電池保持部分３１は、本体結合構造Ｔを構成する２つのインナー側嵌合部分ＴＡと、乾電池３の差し込みおよび取り出しのための開口部分３１Ａと、乾電池３を挟み込む挟持部分３１Ｂとを有する。またこの他に、電池保持部分３１の内部に収容された乾電池３の一部を露出させる切欠部分３１Ｃと、陰極金具６３（図２０参照）を嵌め込むための陰極嵌込部分３１Ｄと、通電金具６７（図２０参照）を嵌め込むための陽極嵌込部分３１Ｅとを有する。またこの他に、高い強度を有する壁部としての基礎部分３１Ｆと、インナー側嵌合部分ＴＡを基礎部分３１Ｆに接続する３つの支持部分３１Ｇとを有する。
【０１０１】
各インナー側嵌合部分ＴＡは、基礎部分３１Ｆに対して３つの支持部分３１Ｇにより支持されている。また、インナー外面３０Ｚのうちの３つの支持部分３１Ｇに囲まれた部分においてインナー外面３０Ｚから外方向に突出する。
【０１０２】
陽極嵌込部分３１Ｅは、電池保持部分３１の外面において一方の端部から他方の端部までにわたり形成されている。また、通電金具６７を熱カシメにより固定するための複数の突起を有する。
【０１０３】
各挟持部分３１Ｂは、電池保持部分３１の壁部との接続部分から先端部分に向かうにつれて外方向から内方向に向けて傾斜する。このため、乾電池３が電池保持部分３１に差し込まれるとき、各挟持部分３１Ｂが乾電池３との接触により内方向から外方向に押し広げられる。
【０１０４】
基板保持部分３２は、基板保持部分３２の壁部の一部と装置保持部分３３の壁部の一部分とを互いに接続する接続部分３２Ａと、回路基板６１（図２０参照）を引っ掛けるための２つの引掛部分３２Ｂとを有する。またこの他に、アウターケース２０の側面リブ２２Ｄと接触する側面規制部分３２Ｃと、アウターケース２０の正面リブ２２Ｅが嵌め込まれる正面リブ２２Ｅとを有する。側面規制部分３２Ｃは、側面リブ２２Ｄとの接触により、Ｚ軸まわりにおけるインナーケース３０に対するアウターケース２０の回転を規制する。正面規制部分３２Ｄは、正面リブ２２Ｅとの接触により、Ｚ軸まわりにおけるインナーケース３０に対するアウターケース２０の回転を規制する。
【０１０５】
図２０を参照して、電気部品について説明する。
電動モーター４１およびスペーサー４４は、粘着性を有するテープ（図示略）により装置保持部分３３に固定される。偏芯分銅４３は、電動モーター４１の出力軸４２に固定される。
【０１０６】
電動歯ブラシ２は、複数の電気系部品を含む電気部品群６０を有する。電気部品群６０は、乾電池３の電流を電動モーター４１に供給する回路基板６１と、回路基板６１上に取り付けられた電流ヒューズ６２と、乾電池３の陰極に接触する陰極金具６３と、乾電池３の陽極に接触する陽極金具６４（図４参照）とを有する。またこの他に、陽極金具６４の回路基板６１の端部に接続される通電金具６７と、陰極金具６３の回路基板６１側の端部と回路基板６１の出力側の陰極端子を互いに接続する陰極パターン６５と、通電金具６７の回路基板６１側の端部と回路基板６１の出力側の陽極端子とを互いに接続する陽極パターン６６とを有する。
【０１０７】
電流ヒューズ６２は、陽極パターン６６の一方および陽極パターン６６の他方の間に位置する。陰極金具６３は、インナーケース３０の基板保持部分３２に固定されている。陰極金具６３の回路基板６１側の端部は、回路基板６１の入力側の陰極端子に接続されている。通電金具６７は、電池保持部分３１の陽極嵌込部分３１Ｅに固定されている。回路基板６１の出力側の陰極端子は、電動モーター４１の陰極端子と接続されている。回路基板６１の出力側の陽極端子は、電動モーター４１の陽極端子と接続されている。
【０１０８】
図２１を参照して、電気部品により形成される電気回路について説明する。図２１（ａ）は、図１０（ａ）においてキャップ８０および歯ブラシアタッチメント５０が省略された状態を示す。図２１（ｂ）は、図１０（ｂ）においてキャップ８０および歯ブラシアタッチメント５０が省略された状態を示す。
【０１０９】
電気部品群６０は、電池保持部分３１に乾電池３が差し込まれているとき、かつ陽極金具６４およびお通電金具６７が互いに接触しているとき、乾電池３の陽極、陽極金具６４、通電金具６７、回路基板６１の陽極パターン６６、電動モーター４１、回路基板６１の陰極パターン６５、回路基板６１、陰極金具６３、および乾電池３の陰極の順に電気的に接続された閉回路を形成する。
【０１１０】
電流ヒューズ６２は、閉回路を流れる電流が定格電流よりも大きいとき、電気部品群６０が形成する閉回路を遮断する。陽極金具６４は、本体ケース１１に対する把持ケース７０の回転により通電金具６７と接触しない位置に移動したとき、電気部品群６０が形成する閉回路を遮断する。一方、本体ケース１１に対する把持ケース７０の回転により通電金具６７と接触する位置に移動したとき、電気部品群６０が形成する閉回路を接続する。
【０１１１】
通電金具６７は、陽極嵌込部分３１Ｅに嵌め込まれた直線部分６７Ａと、折り曲げ加工が施された折曲部分６７Ｂとを有する。また、熱カシメにより陽極嵌込部分３１Ｅに対して固定されている。折曲部分６７Ｂは、インナーケース３０の開口部分に位置する。折曲部分６７Ｂの外面は、湾曲した形状を有する。折曲部分６７Ｂの湾曲した外面は、陽極金具６４との相対移動にともなう接触時に互いの部品が摩耗することを抑制する。
【０１１２】
図２２を参照して、キャップ結合構造Ｒの動作について説明する。図２２（ａ）は、電動歯ブラシ２およびキャップ８０が互いに結合した状態の正面構造であり、キャップ８０がＹＺ平面において破断された携帯型口腔衛生装置１の一部分の正面構造を示す。図２２（ｂ）は、電動歯ブラシ２およびキャップ８０が互いに結合した状態の背面構造であり、キャップ８０がＹＺ平面において破断された携帯型口腔衛生装置１の一部分の背面構造を示す。
【０１１３】
キャップ結合構造Ｒは、電動歯ブラシ２およびキャップ８０が互いに結合した状態において、第１分離力よりも大きい力がＺ方向に作用するとき、電動歯ブラシ２およびキャップ８０の結合を解除する。一方、電動歯ブラシ２およびキャップ８０が互いに分離した状態かつ、アウターケース２０のアウター側嵌合部分ＲＡおよびキャップ８０のキャップ側嵌合部分ＲＢの位置関係が互いに対応する状態において、Ｚ方向に対して第１結合力よりも大きい力が作用するとき、電動歯ブラシ２およびキャップ８０を互いに結合する。
【０１１４】
図２３〜図２５を参照して、第１部品結合構造Ｓの動作について説明する。
図２３（ａ）は、歯ブラシ本体１０および歯ブラシアタッチメント５０が互いに結合した状態の左側面構造であり、歯ブラシアタッチメント５０がＸＺ平面において破断された携帯型口腔衛生装置１の一部分の左側面構造を示す。図２３（ｂ）は、歯ブラシ本体１０および歯ブラシアタッチメント５０が互いに結合した状態の背面構造であり、歯ブラシアタッチメント５０がＸＺ平面において破断された携帯型口腔衛生装置１の一部分の背面構造を示す。
【０１１５】
第１部品結合構造Ｓは、歯ブラシ本体１０および歯ブラシアタッチメント５０が互いに結合した状態において、第２分離力よりも大きい力がＺ方向に作用するとき、歯ブラシ本体１０および歯ブラシアタッチメント５０の結合を解除する。一方、歯ブラシ本体１０および歯ブラシアタッチメント５０が互いに分離した状態かつ、アウターケース２０のアウター側嵌合部分ＳＡおよび歯ブラシアタッチメント５０の第１部品側嵌合部分ＳＢの位置関係が互いに対応する状態において、第２結合力よりも大きい力がＺ方向に作用するとき、歯ブラシ本体１０および歯ブラシアタッチメント５０を互いに結合する。
【０１１６】
図２４は、第１部品結合構造Ｓおよびその周辺の断面構造について、第１部品結合構造Ｓにより歯ブラシ本体１０および歯ブラシアタッチメント５０が互いに結合する過程を示す。図２５（ａ）は、図２４（ｃ）のＤ２４Ａ−Ｄ２４Ａ平面における本体ケース１１および歯ブラシアタッチメント５０の断面構造を示す。図２５（ｂ）は、図２４（ｄ）のＤ２４Ｂ−Ｄ２４Ｂ平面における本体ケース１１および歯ブラシアタッチメント５０の断面構造を示す。
【０１１７】
図２４（ａ）に示されるように、歯ブラシアタッチメント５０は、上部結合部分２１に対する下方向ＺＢへの移動により開口部分５９に上部結合部分２１の先端部分を挿入する。このとき、案内リブ５４は案内溝２１Ａ内に進入する。
【０１１８】
図２４（ｂ）に示されるように、歯ブラシアタッチメント５０は、上部結合部分２１に対する下方向ＺＢへの移動により開口部分５９の端面が上部結合部分２１のアウター側嵌合部分ＳＡに接触する。
【０１１９】
図２４（ｃ）に示されるように、歯ブラシアタッチメント５０の背面壁部は、第２結合力よりも大きい力が下方向ＺＢに作用するとき、結合側接触面ＳＡ２と接触しながら各直立壁部ＳＡ１上を移動する。このとき、各直立壁部ＳＡ１は背面壁部に反力を付与する。背面壁部に作用する反力は、歯ブラシアタッチメント５０を結合する操作にともなう操作感をユーザーに付与する。図２５（ａ）に示されるように、背面壁部が各直立壁部ＳＡ１上を移動するとき、操作感付与部５７は中間凹部ＳＡ４上を移動する。
【０１２０】
図２４（ｄ）に示されるように、歯ブラシアタッチメント５０は、第１部品側嵌合部分ＳＢの全体が上部結合部分２１のアウター側嵌合部分ＳＡと対応する位置まで移動したとき、第１部品側嵌合部分ＳＢおよびアウター側嵌合部分ＳＡが互いに嵌め合わせられる。このため、歯ブラシアタッチメント５０が歯ブラシ本体１０に結合される。
【０１２１】
図２５（ｂ）に示されるように、アウター側嵌合部分ＳＡの各直立壁部ＳＡ１は、それぞれ第１部品側嵌合部分ＳＢの壁面に接触する。各直立壁部ＳＡ１と第１部品側嵌合部分ＳＢの壁面との接触は、上部結合部分２１に対する歯ブラシアタッチメント５０の回転を規制する。また、アウター側嵌合部分ＳＡおよび第１部品側嵌合部分ＳＢが互いに嵌め合わせられているとき、案内リブ５４は、上部結合部分２１の案内溝２１Ａに嵌め込まれている。
【０１２２】
図２６を参照して、電動歯ブラシ２内部の詳細な構成について説明する。図２６（ａ）は、電動歯ブラシ２においてブラシステー５３およびアウターケース２０がＹＺ平面において破断された状態を示す。図２６（ｂ）は、図２６（ａ）のＤ２６Ａ−Ｄ２６Ａ平面の断面構造を示す。図２６（ｃ）は、図２６（ａ）のＤ２６Ｂ−Ｄ２６Ｂ平面の断面構造を示す。図２６（ｄ）は、図２６（ａ）のＤ２６Ｃ−Ｄ２６Ｃ平面の断面構造を示す。
【０１２３】
図２６（ａ）に示されるように、ステインケアアタッチメント１００の作用面１２１は、歯ブラシアタッチメント５０の内面に対して傾斜する。歯ブラシ側シール部材２６は、歯ブラシアタッチメント５０内においてステインケアアタッチメント１００の下方に位置する。
【０１２４】
歯ブラシ側シール部材２６の突出部分２６Ｂは、歯ブラシアタッチメント５０の内面に密着する。歯ブラシアタッチメント５０内の空間は、歯ブラシ側シール部材２６により密閉された上側の空間、および歯ブラシ側シール部材２６よりも下方の空間に区画される。
【０１２５】
図２６（ｄ）に示されるように、アウターケース２０の先端結合部分２４は、取付溝２４Ｂの幅方向（Ｚ方向）において取付溝２４Ｂをまたいで形成された通気溝２４Ｆを有する。通気溝２４Ｆは、歯ブラシ側シール部材２６により区画された歯ブラシアタッチメント５０内の上方の空間と下方の空間とを互いに連通する。
【０１２６】
図２６（ｂ）〜図２６（ｄ）に示されるように、ステインケアアタッチメント１００の第２部品側嵌合部分ＶＢの平面部１３２は、アウター側嵌合部分ＶＡの対向部２４Ｇ（図１５参照）と接触する。平面部１３２および対向部２４Ｇは、ステインケアアタッチメント１００とアウターケース２０との相対的な回転を規制する。
【０１２７】
図２７を参照して、本体結合構造Ｔの詳細な関係について説明する。
本体結合構造Ｔは、アウターケース２０およびインナーケース３０が互いに結合した状態において、第３分離力よりも大きい力が電動歯ブラシ２のＺ方向に作用するとき、アウターケース２０およびインナーケース３０の結合を解除する。一方、アウターケース２０およびインナーケース３０が互いに分離した状態かつ、インナー側嵌合部分ＴＡおよびアウター側嵌合部分ＴＢの位置関係が互いに対応する状態において、第３結合力よりも大きい力が電動歯ブラシ２のＺ方向に作用するとき、アウターケース２０およびインナーケース３０を互いに結合する。
【０１２８】
図２７〜図３１を参照して、把持結合構造Ｕの詳細について説明する。
図２７（ａ）は、把持ケース７０がＸＺ平面において破断された状態の歯ブラシ本体１０の左側面構造を示す。図２７（ｂ）は、把持ケース７０がＸＺ平面において破断された状態の歯ブラシ本体１０の右側面構造を示す。図２８（ａ）は、把持ケース７０がＹＺ平面において破断された状態の歯ブラシ本体１０の正面構造を示す。図２８（ｂ）は、把持ケース７０がＹＺ平面において破断された状態の歯ブラシ本体１０の背面構造を示す。
【０１２９】
把持結合構造Ｕは、本体ケース１１および把持ケース７０が互いに結合した状態において、第４分離力よりも大きい力が電動歯ブラシ２の中心軸まわりの反転方向に作用するとき、本体ケース１１および把持ケース７０の結合を解除する。一方、本体ケース１１および把持ケース７０が互いに分離した状態かつ、把持側嵌合部分ＵＡおよびアウター側嵌合部分ＵＢの位置関係が互いに対応する状態、かつ把持側嵌合部分ＵＣおよびインナー側嵌合部分ＵＤの位置関係が互いに対応する状態において、第４結合力よりも大きい力が電動歯ブラシ２の中心軸まわりの反転方向に作用するとき、本体ケース１１および把持ケース７０を互いに結合する。
【０１３０】
把持結合構造Ｕは、本体ケース１１および把持ケース７０が互いに結合した状態において本体ケース１１および把持ケース７０の相対的な回転を許容する。本体ケース１１および把持ケース７０の相対的な回転状態は、「分離状態」、「オフ状態」、および「オン状態」の３つに区分される。
【０１３１】
以下では、図６（ｃ）に示される歯ブラシ本体１０の平面視において、Ｚ軸まわりにおける反時計まわりの回転方向を「結合方向」とし、Ｚ軸まわりにおける時計まわりの回転方向を「分離方向」とする。
【０１３２】
図２９〜図３１を参照して、分離状態の詳細について説明する。
図２９（ａ）は、本体ケース１１および把持ケース７０の分離状態における図２７のＤ２７Ａ−Ｄ２７Ａ平面の断面構造を示す。図２９（ｂ）は、本体ケース１１および把持ケース７０の分離状態における図２７のＤ２７Ｂ−Ｄ２７Ｂ平面の断面構造を示す。
【０１３３】
図２９（ａ）に示されるように、把持ケース７０の把持側嵌合部分ＵＡは、把持ケース７０の操作力が第４結合力よりも小さいとき、アウターケース２０に対するＺ軸まわりの移動範囲が第１回転溝ＵＢ１内に規制される。第１回転溝ＵＢ１は、アウターケース２０の回転規制壁部ＵＢ４から境界リブＵＢ３までの範囲に相当する。
【０１３４】
アウターケース２０の回転規制壁部ＵＢ４は、把持ケース７０の把持側嵌合部分ＵＡと接触しているとき、アウターケース２０に対する分離方向への把持ケース７０の回転を規制する。アウターケース２０の境界リブＵＢ３は、把持ケース７０の把持側嵌合部分ＵＡと接触しているとき、アウターケース２０に対する結合方向への把持ケース７０の回転を規制する。
【０１３５】
図２９（ｂ）に示されるように、把持ケース７０の把持側嵌合部分ＵＣは、把持ケース７０の操作力が第４結合力よりも小さいとき、インナーケース３０に対するＺ軸まわりの移動範囲がインナーケース３０のインナー側嵌合部分ＵＤにより規制される。インナーケース３０のインナー側嵌合部分ＵＤは、把持ケース７０の把持側嵌合部分ＵＣと接触しているとき、インナーケース３０に対する結合方向への把持ケース７０の回転を規制する。
【０１３６】
図２７に示されるように、第１回転溝ＵＢ１は、下方向ＺＢにおいてインナーケース３０の外面側に開口する。このため、把持ケース７０の把持側嵌合部分ＵＡは、第１回転溝ＵＢ１に位置する状態において、把持ケース７０が本体ケース１１に対して下方向ＺＢに移動するとき、第１回転溝ＵＢ１からインナー外面３０Ｚ側に離脱する。一方、第１回転溝ＵＢ１に対応するインナー外面３０Ｚ側に位置する状態において、把持ケース７０が本体ケース１１に対して上方向ＺＡに移動するとき、インナー外面３０Ｚ側から第１回転溝ＵＢ１に進入する。
【０１３７】
把持ケース７０は、把持側嵌合部分ＵＡが第１回転溝ＵＢ１から離脱しているとき、本体ケース１１に対して下方向ＺＢに移動することができる。このため、分離状態のとき、把持ケース７０の開口部分７３から本体ケース１１を離脱することができる。
【０１３８】
分離状態からオフ状態への移行について説明する。
分離状態において、把持ケース７０に対して第４結合力よりも小さい結合方向の操作力が入力されたとき、把持ケース７０が本体ケース１１に対して結合方向に回転する。そして、図２９（ａ）および図２９（ｂ）に示されるように、把持ケース７０の把持側嵌合部分ＵＡが境界リブＵＢ３に接触し、かつ把持ケース７０の把持側嵌合部分ＵＣがインナーケース３０のインナー側嵌合部分ＵＤに接触する。
【０１３９】
図２９の分離状態において、把持ケース７０に対して第４結合力よりも大きい結合方向の操作力が入力されたとき、把持ケース７０の把持側嵌合部分ＵＡが境界リブＵＢ３を結合方向に乗り越え、かつ把持ケース７０の把持側嵌合部分ＵＣがインナーケース３０のインナー側嵌合部分ＵＤを結合方向に乗り越える。これにより、本体ケース１１および把持ケース７０の相対的な回転状態がオフ状態に移行する。
【０１４０】
第４結合力は、把持側嵌合部分ＵＡが境界リブＵＢ３を結合方向に乗り越えるために必要な結合方向の操作力と、把持側嵌合部分ＵＣがインナー側嵌合部分ＵＤを結合方向に乗り越えるために必要な結合方向の操作力とを合わせたものに相当する。
【０１４１】
図２８に示されるように、分離状態のとき、陽極金具６４は通電金具６７と非接触の関係を有する。陽極金具６４の先端部分は、本体ケース１１に対する把持ケース７０の結合方向への回転にともない通電金具６７に次第に接近する。また、本体ケース１１および把持ケース７０の回転状態が分離状態からオフ状態に移行したときも通電金具６７と非接触の関係を有する。
【０１４２】
図３０を参照して、オフ状態の詳細について説明する。
図３０（ａ）は、本体ケース１１および把持ケース７０のオフ状態における図２７のＤ２７Ａ−Ｄ２７Ａ平面の断面構造を示す。図３０（ｂ）は、本体ケース１１および把持ケース７０のオフ状態における図２７のＤ２７Ｂ−Ｄ２７Ｂ平面の断面構造を示す。
【０１４３】
図３０（ｂ）に示されるように、把持ケース７０の一方の把持側嵌合部分ＵＡは、把持ケース７０の操作力がオン操作力よりも小さいとき、アウターケース２０に対する結合方向への回転がインナーケース３０のインナー側嵌合部分ＵＤにより規制される。
【０１４４】
図３０（ｂ）に示されるように、把持ケース７０の他方の把持側嵌合部分ＵＡは、把持ケース７０の操作力が第４分離力よりも小さいとき、アウターケース２０に対する分離方向への回転がインナーケース３０のインナー側嵌合部分ＵＤにより規制される。
【０１４５】
図３０（ａ）に示されるように、把持ケース７０の把持側嵌合部分ＵＡは、把持ケース７０の分離方向の操作力が第４分離力よりも小さいとき、インナーケース３０に対する分離方向への回転がインナーケース３０のインナー側嵌合部分ＵＤにより規制される。
【０１４６】
すなわち、把持ケース７０はオフ状態において、結合方向への操作力がオン操作力よりも小さく、かつ分離方向への操作力が第４分離力よりも小さいとき、本体ケース１１に対して回転しない。
【０１４７】
オフ状態からオン状態への移行について説明する。
図３０のオフ状態において、把持ケース７０に対してオン操作力よりも大きい結合方向の操作力が入力されたとき、把持ケース７０の１つの把持側嵌合部分ＵＣがインナーケース３０のインナー側嵌合部分ＵＤを結合方向に乗り越える。これにより、本体ケース１１および把持ケース７０の相対的な回転状態がオン状態に移行する。
【０１４８】
オン操作力は、１つの把持側嵌合部分ＵＣがインナー側嵌合部分ＵＤを結合方向に乗り越えるために必要な結合方向の操作力に相当する。すなわち、本体ケース１１および把持ケース７０の回転状態を分離状態からオフ状態に変更するために必要となる第４結合力よりも小さい。
【０１４９】
図２８に示されるように、オフ状態のとき、陽極金具６４は通電金具６７と非接触の関係を有する。陽極金具６４の先端部分は、本体ケース１１に対する把持ケース７０の結合方向への回転にともない通電金具６７に次第に接近する。そして、本体ケース１１および把持ケース７０の回転状態がオフ状態からオン状態に移行したとき、通電金具６７に接触するため、電気部品群６０の閉回路が形成される（図２１参照）。このため、電動モーター４１が回転する。なお、オフ状態における通電金具６７に対する陽極金具６４の回転位置は「第１電極位置」に相当する。また、オン状態における通電金具６７に対する陽極金具６４の回転位置は「第２電極位置」に相当する。
【０１５０】
オフ状態から分離状態への移行について説明する。
図３０のオフ状態において、把持ケース７０に対して第４分離力よりも大きい分離方向の操作力が入力されたとき、把持ケース７０の把持側嵌合部分ＵＡが境界リブＵＢ３を分離方向に乗り越え、かつ把持ケース７０の１つの把持側嵌合部分ＵＣがインナーケース３０のインナー側嵌合部分ＵＤを分離方向に乗り越える。これにより、本体ケース１１および把持ケース７０の相対的な回転状態が分離状態に移行する。
【０１５１】
第４分離力は、把持側嵌合部分ＵＡが境界リブＵＢ３を分離方向に乗り越えるために必要な分離方向の操作力と、１つの把持側嵌合部分ＵＣがインナー側嵌合部分ＵＤを分離方向に乗り越えるために必要な分離方向の操作力とを合わせたものに相当する。また、第４結合力よりも大きい。
【０１５２】
本体ケース１１および把持ケース７０は、分離状態からオフ状態に移行する過程またはオフ状態から分離状態に移行する過程において、Ｚ軸まわりにおいて相対的に第１所定回転量にわたり回転する。また、オフ状態からオン状態に移行する過程またはオン状態からオフ状態に移行する過程において、Ｚ軸まわりにおいて相対的に第２所定回転量にわたり回転する。第２所定回転量は、第１所定回転量よりも小さい。
【０１５３】
図３１を参照して、オン状態の詳細について説明する。
図３１（ａ）は、本体ケース１１および把持ケース７０のオン状態における図２７のＤ２７Ａ−Ｄ２７Ａ平面の断面構造を示す。図３１（ｂ）は、本体ケース１１および把持ケース７０のオン状態における図２７のＤ２７Ｂ−Ｄ２７Ｂ平面の断面構造を示す。
【０１５４】
図３１（ａ）に示されるように、把持ケース７０の把持側嵌合部分ＵＡは、アウターケース２０の回転規制壁部ＵＢ５によりアウターケース２０に対する分離方向への回転が規制される。
【０１５５】
図３１（ｂ）に示されるように、把持ケース７０の把持側嵌合部分ＵＣは、把持ケース７０の操作力がオフ操作力よりも小さいとき、インナーケース３０に対する分離方向への回転がインナーケース３０のインナー側嵌合部分ＵＤにより規制される。
【０１５６】
すなわち、把持ケース７０はオン状態において、分離方向への操作力がオフ操作力よりも小さいとき、本体ケース１１に対して回転しない。なお、アウターケース２０の回転規制壁部ＵＢ５は、把持側嵌合部分ＵＡの結合方向への回転を不能にしている。このため、把持ケース７０に入力される操作力の大きさにかかわらず、把持ケース７０はオン状態において本体ケース１１に対して結合方向に回転しない。
【０１５７】
オン状態からオフ状態への移行について説明する。
図３１のオン状態において、把持ケース７０に対してオフ操作力よりも大きい分離方向の操作力が入力されたとき、把持ケース７０の１つの把持側嵌合部分ＵＣがインナーケース３０のインナー側嵌合部分ＵＤを分離方向に乗り越える。これにより、本体ケース１１および把持ケース７０の相対的な回転状態がオフ状態に移行する。
【０１５８】
オフ操作力は、把持側嵌合部分ＵＣがインナー側嵌合部分ＵＤを分離方向に乗り越えるために必要となる分離方向の操作力に相当する。また、本体ケース１１および把持ケース７０の回転状態をオフ状態からオン状態に変更するために必要となるオン操作力よりも大きい。
【０１５９】
陽極金具６４は、オン状態において通電金具６７と接触する。そして、本体ケース１１および把持ケース７０の回転状態がオン状態からオフ状態に移行したとき、通電金具６７から離れるため、電気部品群６０の閉回路が遮断される（図２１参照）。このため、電動モーター４１の回転が停止する。
【０１６０】
図３２を参照して、陽極金具６４の形状について説明する。図３２（ａ）は、陽極金具６４の平面構造を示す。図３２（ｂ）は、陽極金具６４の左側面構造を示す。図３２（ｃ）は、陽極金具６４の正面構造を示す。
【０１６１】
陽極金具６４は、乾電池３の陽極と接触する陽極接点部分６４Ａと、通電金具６７と接触する２つの金具接点部分６４Ｂと、把持ケース７０の固定部分７４に２つの嵌め込まれる嵌合部分６４Ｃとを有する。通電金具６７（図３４参照）は、２つの金具接点部分６４Ｂのうちの一方と接触する。
【０１６２】
各嵌合部分６４Ｃは、把持ケース７０の内面に引っ掛けられる引掛部分６４Ｄを有する。各引掛部分６４Ｄの先端部分は、先端に向けて細くなる形状を有する。各金具接点部分６４Ｂは、嵌合部分６４Ｃとの接続部分から先端部分に向けて下方向ＺＢから上方向ＺＡに向けて傾斜する。各金具接点部分６４Ｂの先端部分は、通電金具６７側に向けて湾曲する。
【０１６３】
陽極接点部分６４Ａ、各嵌合部分６４Ｃ、各引掛部分６４Ｄ、および各金具接点部分６４Ｂは、連続する一枚の金属板により形成されている。陽極接点部分６４Ａは、各嵌合部分６４Ｃおよび各引掛部分６４Ｄよりも上方向ＺＡに位置する。各金具接点部分６４Ｂの先端部分は、インナーケース３０または通電金具６７（図３４参照）と接触していないとき、陽極接点部分６４Ａよりも上方向ＺＡに位置する。
【０１６４】
図３３〜図３５を参照して、把持ケース７０の電極構造の詳細について説明する。
図３３（ａ）は、陽極金具６４が取り外された状態の把持ケース７０の平面構造を示す。図３３（ｂ）は、図２７のＤ２７Ｃ−Ｄ２７Ｃ平面の断面構造においてインナーケース３０が省略された状態を示す。図３３（ｃ）は、図２７のＤ２７Ｃ−Ｄ２７Ｃ平面の断面構造を示す。
【０１６５】
陽極金具６４の嵌合部分６４Ｃは、把持ケース７０の固定部分７４に嵌め込まれる。各引掛部分６４Ｄは、把持ケース７０の内面に押し付けられている。固定部分７４および嵌合部分６４Ｃの嵌め合わせと、把持ケース７０の内面および引掛部分６４Ｄとの接触は、把持ケース７０の下側壁部７２に対する陽極金具６４の回転および移動を規制する。なお、把持ケース７０の内面において外周壁部７１の内面から下側壁部７２の内面にかけての境界部分およびその付近の部分は、滑らかに湾曲する形状を有する。各引掛部分６４Ｄは、この湾曲した形状の部分に押し付けられている。
【０１６６】
図３３（ｂ）および図３４（ａ）に示されるように、陽極金具６４は、把持ケース７０内にインナーケース３０が挿入されていないとき、各金具接点部分６４Ｂの先端部分が陽極接点部分６４Ａおよび規制部分７５よりも上方向ＺＡに位置する。
【０１６７】
図３３（ｃ）および図３４（ｂ）に示されるように、インナーケース３０の開口部分３１Ａの壁部は、各金具接点部分６４Ｂの先端部分と接触することにより、各金具接点部分６４Ｂを下方向ＺＢに押し下げる。金具接点部分６４Ｂは、本体ケース１１に対する把持ケース７０の回転位置がオフ位置のとき、通電金具６７の折曲部分６７Ｂと接触しない。
【０１６８】
図３５（ａ）に示されるように、把持ケース７０は、電池保持部分３１に乾電池３が挿入されているインナーケース３０が挿入されたとき、陽極接点部分６４Ａと乾電池３の陽極とを互いに接触させる。
【０１６９】
図３５（ｂ）に示されるように、下側壁部７２の規制部分７５は、隙間を介して乾電池３と対向する。インナーケース３０の開口部分３１Ａの端面は、乾電池３の陽極平面３Ａよりも下方向ＺＢに位置する。通電金具６７の折曲部分６７Ｂは、開口部分２３Ａの端面の下方向ＺＢに位置する。また、開口部分３１Ａの内面よりも外方向に位置する。すなわち、折曲部分６７Ｂは乾電池３と接触しにくい箇所に位置する。
【０１７０】
図１０を参照して、電動歯ブラシ２の動作について説明する。
ユーザーは、電動歯ブラシ２の使用時にブラシヘッド５２を振動させるとき、把持ケース７０を本体ケース１１に対して結合方向に回転させる。すなわち、本体ケース１１および把持ケース７０の相対的な回転状態をオフ状態からオン状態に変更する。陽極金具６４は、オフ状態からオン状態への変更にともない通電金具６７に接触する。これにより、乾電池３と電動モーター４１とを電気的に接続する閉回路が形成される。
【０１７１】
電動モーター４１は、乾電池３から供給される電流により出力軸４２および偏芯分銅４３を回転させる。偏芯分銅４３の回転により生じる振動は、本体ケース１１を介して歯ブラシアタッチメント５０に伝達される。このため、ブラシヘッド５２および各ブリッスル束５１が電動モーター４１の回転にともない振動する。
【０１７２】
本実施形態の携帯型口腔衛生装置１は以下の効果を奏する。
（１）電動歯ブラシ２は、第１機能部品としての歯ブラシアタッチメント５０および第２機能部品としてのステインケアアタッチメント１００を有する。この構成によれば、１つの電動歯ブラシ２により口腔に対して２つの衛生作業を行うことができる。
【０１７３】
（２）ステインケアアタッチメント１００は、本体ケース１１の先端結合部分２４と結合する。このため、ステインケアアタッチメント１００を先端結合部分２４と結合できない構成と比較して、同アタッチメント１００の管理が容易になる。
【０１７４】
（３）電動歯ブラシ２は、浸入規制構造としての歯ブラシ側シール部材２６を有する。この構成によれば、歯ブラシアタッチメント５０内においてステインケアアタッチメント１００が収容される空間への異物の浸入が抑制される。このため、ステインケアアタッチメント１００が清潔な状態に保たれる。
【０１７５】
（４）電動歯ブラシ２は、弾性材料により形成された歯ブラシ側シール部材２６を有する。この構成によれば、ステインケアアタッチメント１００が収容される空間への異物の浸入を抑制する効果が高くなる。
【０１７６】
（５）歯ブラシ側シール部材２６は、取付溝２４Ｂに嵌め込まれる環状部分２６Ａと、環状部分２６Ａから突出する突出部分２６Ｂとを有する。突出部分２６Ｂの肉厚は、環状部分２６Ａの肉厚よりも小さい。この構成によれば、突出部分２６Ｂの肉厚が環状部分２６Ａの肉厚よりも大きい構成と比較して、歯ブラシアタッチメント５０およびアウターケース２０を分離または結合するとき、歯ブラシアタッチメント５０に作用する抵抗が小さくなる。また、歯ブラシアタッチメント５０およびアウターケース２０が分離または結合されるとき、歯ブラシアタッチメント５０内の圧力変化に応じて突出部分２６Ｂが変形しやすい。このため、アウターケース２０に対して歯ブラシアタッチメント５０を分離または結合しやすい。
【０１７７】
（６）歯ブラシ側シール部材２６は、アウターケース２０の先端結合部分２４に取り付けられる。すなわち、耐久財としてのアウターケース２０が歯ブラシ側シール部材２６を有する。この構成によれば、消耗品としての歯ブラシアタッチメント５０およびステインケアアタッチメント１００が歯ブラシ側シール部材２６を有する仮想の構成と比較して、これらの消耗品のコストが低くなる。
【０１７８】
（７）歯ブラシ側シール部材２６は、アウターケース２０の取付溝２４Ｂに嵌め込まれる。この構成によれば、アウターケース２０に対する歯ブラシアタッチメント５０の位置が正規の位置からずれたときにも突出部分２６Ｂが歯ブラシアタッチメント５０の内面に接触した状態が維持されやすい。このため、ステインケアアタッチメント１００が収容される空間への異物の浸入を抑制する効果が安定して得られる。
【０１７９】
（８）歯ブラシ側シール部材２６の環状部分２６Ａは、先端結合部分２４の取付溝２４Ｂに嵌め込まれる。歯ブラシ側シール部材２６の突出部分２６Ｂは、歯ブラシアタッチメント５０の内面に密着する。この構成によれば、アウターケース２０および歯ブラシアタッチメント５０のがたつきが生じにくい。このため、がたつきに起因する音の発生が抑制される。
【０１８０】
（９）歯ブラシ側シール部材２６は、アウターケース２０において歯ブラシアタッチメント５０内に収容される部分としての先端結合部分２４に取り付けられる。この構成によれば、歯ブラシアタッチメント５０の外部に歯ブラシ側シール部材２６を有する仮想の構成と比較して、歯ブラシ本体１０の体格を小さくすることができる。
【０１８１】
（１０）アウターケース２０は、取付溝２４Ｂを幅方向にまたいで形成される通気溝２４Ｆを有する。この構成によれば、歯ブラシアタッチメント５０およびアウターケース２０が分離または結合されるとき、歯ブラシアタッチメント５０内において歯ブラシ側シール部材２６よりも上方の空間および下方の空間の間で空気が移動する。このため、歯ブラシアタッチメント５０をアウターケース２０に結合するとき、歯ブラシアタッチメント５０内の圧力が過度に高くなることが抑制される。また、歯ブラシアタッチメント５０をアウターケース２０から分離するとき、歯ブラシアタッチメント５０内に大きな負圧が生じることが抑制される。このため、アウターケース２０に対して歯ブラシアタッチメント５０を分離または結合しやすい。
【０１８２】
（１１）通気溝２４Ｆは、取付溝２４Ｂの側面上を通過する部分と、取付溝２４Ｂの底面を通過する部分とを有する。すなわち、取付溝２４Ｂの形状にあわせて屈曲した形状を有する。この構成によれば、歯ブラシアタッチメント５０内の空間において、異物が通気溝を介して歯ブラシ側シール部材２６よりも上方の空間に移動することが通気溝２４Ｆの形状により妨げられる。このため、通気溝２４Ｆにより歯ブラシアタッチメント５０の内圧を調整する構造において、ステインケアアタッチメント１００が収容される空間に異物が浸入することが抑制される。
【０１８３】
（１２）歯ブラシ本体１０およびステインケアアタッチメント１００は、互いに結合および分離することが可能な第２部品結合構造Ｖを有する。この構成によれば、ステインケアアタッチメント１００を歯ブラシ本体１０から分離した状態で清掃することができる。すなわち、優れた清掃性をユーザーに提供することが可能となる。また、消耗品である歯ブラシアタッチメント５０およびステインケアアタッチメント１００の２つの部品を同時期に交換することができる。すなわち、衛生面に関してより高いメンテナンス性をユーザーに提供することが可能となる。
【０１８４】
（１３）第２部品結合構造Ｖは、アウターケース２０のアウター側嵌合部分ＶＡとステインケアアタッチメント１００の挿入部分１３０との嵌め合いによりアウターケース２０およびステインケアアタッチメント１００を互いに結合および分離する。この構成によれば、歯ブラシアタッチメント５０内の狭い空間にステインケアアタッチメント１００を収納する構造を容易に形成することができる。
【０１８５】
（１４）第２部品結合構造Ｖは、長手方向におけるアウターケース２０とステインケアアタッチメント１００との相対的な移動によりアウターケース２０およびステインケアアタッチメント１００を互いに結合および分離する。この構成によれば、ステインケアアタッチメント１００にＺ方向の力が加えられることによりステインケアアタッチメント１００をアウターケース２０に対して結合および分離することができる。このため、アウターケース２０に対してステインケアアタッチメント１００を結合および分離するときにステインケアアタッチメントを回転させる動作が必要となる仮想の部品結合構造を有する電動歯ブラシと比較して、ステインケアアタッチメント１００を容易に結合および分離することができる。また、アウターケース２０およびステインケアアタッチメント１００を互いに結合および分離する構造を含む電動歯ブラシ２のコストが低くなる。また、ステインケアアタッチメント１００は使用時に長手方向の力が作用しにくいため、使用時にアウターケース２０に対する位置ずれが生じるおそれが小さい。
【０１８６】
（１５）アウターケース２０の先端結合部分２４は、縦リブ２４Ｈが形成された対向部２４Ｇを有する。ステインケアアタッチメント１００は、対向部２４Ｇに接触する平面部１３２を有する。すなわち第２部品結合構造Ｖは、アウターケース２０とステインケアアタッチメント１００との相対的な回転を規制する構造を有する。この構成によれば、使用時にステインケアアタッチメント１００がアウターケース２０に対して回転することが抑制される。このため、使用時におけるアウターケース２０に対するステインケアアタッチメント１００の回転に起因して、ステインケアアタッチメント１００から歯に付与される力が低下することが抑制される。また、ステインケアアタッチメント１００の回転位置が変化することに起因して、歯の清掃性が低下することが抑制される。
【０１８７】
（１６）ステインケアアタッチメント１００の清掃部分１２０は、幅方向において挿入部分１３０の外面よりも外側に突出する部分を有する。この構成によれば、ステインケアアタッチメント１００をアウターケース２０から分離するとき、清掃部分１２０の外側に突出した部分に指をかけることができる。このため、ステインケアアタッチメント１００をアウターケース２０から容易に分離することができる。
【０１８８】
（１７）ステインケアアタッチメント１００の清掃部分１２０は、上方向ＺＡから下方向ＺＢに向かうにつれて後方向ＸＢから前方向ＸＡに向けて傾斜する作用面１２１を有する。この構成によれば、作用面１２１が歯ブラシアタッチメント５０の内面に接触しにくい。また、ステインケアアタッチメント１００の長手方向に直交する平面を作用面として有する構成と比較して、作用面１２１の面積が大きくなる。また、清掃部分１２０の上方向ＺＡの先端部分が鋭角を有するため、歯間の清掃性が高くなる。
【０１８９】
（１８）ステインケアアタッチメント１００は、弾性材料により形成されるアタッチメント本体１１０と、アタッチメント本体１１０の内部に挿入される芯部材１４０とを有する。芯部材１４０は、アタッチメント本体１１０よりも高い剛性を有する。この構成によれば、ステインケアアタッチメント１００の側面に作用する力に対する清掃部分１２０の剛性が高くなる。このため、使用時にステインケアアタッチメント１００がアウターケース２０から抜けにくくなる。また、挿入部分１３０が芯部材１４０により先端結合部分２４の内面に押し付けられるため、ステインケアアタッチメント１００がアウターケース２０から抜けにくくなる効果がより高くなる。
【０１９０】
（１９）ステインケアアタッチメント１００の清掃部分１２０は、先端結合部分２４の先端支持部分２４Ａに接触する支持面１２２を有する。この構成によれば、支持面１２２および先端支持部分２４Ａの接触により、先端結合部分２４に対するステインケアアタッチメント１００の移動が規制される。また、アウターケース２０からステインケアアタッチメント１００への振動の伝達効率が高くなる。
【０１９１】
（２０）第２部品結合構造Ｖは、アウターケース２０に形成された凹部としてのアウター側嵌合部分ＶＡと、ステインケアアタッチメント１００に形成された凸部としての挿入部分１３０とを有する。この構成によれば、第２部品結合構造Ｖとしての凸部がアウターケース２０に形成される仮想の構成と比較して、アウターケース２０が破損しにくい。
【０１９２】
（２１）電動歯ブラシ２の本体ケース１１および把持ケース７０は、本体ケース１１と把持ケース７０との相対的な動作を可能にする把持結合構造Ｕを有する。把持結合構造Ｕは、電動モーター４１のスイッチとしての機能を有する。この構成によれば、電動モーター４１のスイッチ部品を省略することが可能となる。このため、電動歯ブラシ２の小型化に貢献する。
【０１９３】
（２２）電動歯ブラシ２の歯ブラシ本体１０は、電動モーター４１のスイッチ部品をアウターケース２０の中間結合部分２２に有していない。この構成によれば、アウターケース２０の中間結合部分２２にスイッチ部品を有する構成と比較して、電動歯ブラシ２の長手方向の寸法が小さくなる。
【０１９４】
（２３）把持結合構造Ｕは、本体ケース１１と把持ケース７０との相対的な回転を許容する構造を有する。この構成によれば、電動モーター４１のスイッチのオンおよびオフを選択するために把持ケース７０を操作したとき、電動歯ブラシ２の長手方向の寸法が変化しない。このため、ユーザーは電動歯ブラシ２の使用中においても小型化を実感することができる。
【０１９５】
（２４）把持結合構造Ｕは、本体ケース１１と把持ケース７０との相対的な回転を許容する構造として、電動モーター４１のスイッチとして機能する上側把持結合構造ＵＸと、本体ケース１１および把持ケース７０を互いに結合および分離する下側把持結合構造ＵＹとを有する。この構成によれば、本体ケース１１および把持ケース７０の相対的な回転に対して２つの機能を持たせているため、異なる運動のそれぞれに対して上記各機能を持たせる構成と比較して、電動歯ブラシ２の小型化に貢献する。
【０１９６】
（２５）上側把持結合構造ＵＸにおいて電動モーター４１の電源のオンおよびオフを変更するためのオン操作力およびオフ操作力は、下側把持結合構造ＵＹにおいて本体ケース１１および把持ケース７０を分離するための第４分離力よりも小さい。この構成によれば、電動モーター４１の電源のオンおよびオフを変更するための操作にともない、把持ケース７０が本体ケース１１から分離するおそれが小さい。
【０１９７】
（２６）上側把持結合構造ＵＸは、把持ケース７０を本体ケース１１から分離するための回転方向として反転方向を有する。下側把持結合構造ＵＹは、電動モーター４１の電源をオフからオンに変更するための回転方向として正転方向を有する。この構成によれば、電動モーター４１の電源をオフからオンに変更するための動作にともない、把持ケース７０が本体ケース１１から分離することが抑制される。
【０１９８】
（２７）上側把持結合構造ＵＸは、電動モーター４１の電源のオンおよびオフを変更するための操作量として第２所定操作量を有する。下側把持結合構造ＵＹは、本体ケース１１および把持ケース７０の結合および分離を変更するための操作量として第１所定操作量を有する。第２所定操作量は、第１所定操作量よりも小さい。この構成によれば、電動モーター４１の電源をオンおよびオフするための動作にともない、把持ケース７０が本体ケース１１から分離されるおそれが小さい。
【０１９９】
（２８）本体ケース１１および歯ブラシアタッチメント５０は、本体ケース１１および歯ブラシアタッチメント５０の互いの結合および分離が可能な第１部品結合構造Ｓを有する。第１部品結合構造Ｓは、本体ケース１１と歯ブラシアタッチメント５０との長手方向の相対的な移動により本体ケース１１および歯ブラシアタッチメント５０を結合または分離する。この構成によれば、機能部品を本体ケースに対してＺ方向に移動させ、機能部品内に本体ケースの一部分を進入させ、その後に機能部品を本体ケースに回転させることにより機能部品および本体ケースを互いに結合する結合構造と比較して、本体ケース１１および歯ブラシアタッチメント５０を容易に結合することができる。なお、ここで比較例として説明した結合構造の一例としては、別構造ケースおよび歯ブラシアタッチメント５０を互いに結合および分離するための回転結合構造５５が挙げられる。
【０２００】
（２９）陽極金具６４は、把持ケース７０の下側壁部７２に固定されている。この構成によれば、本体ケース１１に対する把持ケース７０の回転にともない通電金具６７に対する陽極金具６４の位置を変更することができる。
【０２０１】
（３０）本体ケース１１は、乾電池３の陽極に接続される通電金具６７を有する。陽極金具６４は、通電金具６７に接触しない第１電極位置と、通電金具６７に接触する第２電極位置とを有する。把持結合構造Ｕは、本体ケース１１と把持ケース７０との相対的な回転により陽極金具６４の第１電極位置および第２電極位置を変更する。この構成によれば、ブラッシング時に把持する把持ケース７０の操作により電動モーター４１の電源のオフおよびオンが選択されるため、ユーザーが電動モーター４１の電源を直感的に操作することができる。
【０２０２】
（３１）把持ケース７０は、陽極接点部分６４Ａと乾電池３の陰極とが互いに接触することを規制する規制部分７５を有する。規制部分７５は、非導電性の材料により形成される。規制部分７５の先端部分は、把持ケース７０の長手方向において陽極接点部分６４Ａよりも電池保持部分３１側に位置する。この構成によれば、乾電池３の陰極が陽極金具６４と対向する状態で電池保持部分３１に収容されたとき、乾電池３の陰極が規制部分７５と接触するとともに陽極接点部分６４Ａと隙間を介して対向する。すなわち、乾電池３の陰極が陽極接点部分６４Ａと接触しない。このため、短絡の発生が抑制される。
【０２０３】
（３２）電動歯ブラシ２は、携帯用としての構造を有するため、据置型の電動歯ブラシと比較すると体格が小さい。このため、据置型の電動歯ブラシの使用になれたユーザーからすると、手に接触する電動歯ブラシ２の面積が据置型の電動歯ブラシと比較して小さいことにより、ブラッシング時において把持ケースをグリップしづらいと感じるおそれがある。一方、電動歯ブラシ２は、把持外面７０Ｚよりも外方向に突出した装飾リング１２を有する。装飾リング１２は、ユーザーの手に引っ掛かることによりユーザーの手に対して把持ケース７０がすべることを抑制する。このため、据置型の電動歯ブラシの使用になれたユーザーは、装飾リング１２をすべり止めとして把持ケース７０を持つことにより、上記の違和感を軽減することができる。
【０２０４】
（３３）特許文献１の電動歯ブラシの把持ケースは、美観を高めるため、滑らかな湾曲形状の外面を有する。このため、ブラッシング時において把持ケースがユーザーの手に対してすべる可能性がある。一方、電動歯ブラシ２は装飾リング１２を有するため、特許文献１の電動歯ブラシとして使用時の操作性が向上する。
【０２０５】
（３４）通電金具６７は、インナーケース３０の電池保持部分３１の外面に固定されている。この構成によれば、通電金具６７が陰極金具６３と接触するおそれが小さい。また、通電金具６７が電池保持部分３１の内面に固定される構成と比較して、通電金具６７を電池保持部分３１に対する作業が容易になる。
【０２０６】
（３５）電池保持部分３１は、乾電池３の差し込みおよび取り出しのための切欠部分３１Ｃを有する。この構成によれば、電池保持部分３１から乾電池３を取り出すとき、切欠部分３１Ｃにおいて露出している乾電池３の外周面を掴むことが可能になる。このため、乾電池３を電池保持部分３１から取り出す作業が容易になる。
【０２０７】
（３６）電池保持部分３１は、外方向から内方向に向けて傾斜した挟持部分３１Ｂを有する。この構成によれば、乾電池３が電池保持部分３１に差し込まれたとき、乾電池３が各挟持部分３１Ｂを外方向に押し広げるため、各挟持部分３１Ｂの復元力により電池保持部分３１に対する乾電池３の位置が変化しにくくなる。
【０２０８】
（３７）本体ケース１１は、陰極金具６３および陽極金具６４に接続される回路基板６１を有する。回路基板６１は、電流ヒューズ６２を有する。この構成によれば、乾電池３から電動モーター４１までの通電経路を容易に形成することができる。また、乾電池３に短絡が生じたとき、乾電池３に大電流が流れることを抑制することができる。
【０２０９】
（３８）通電金具６７は、直線部分６７Ａおよび折曲部分６７Ｂを有する。この構成によれば、本体ケース１１に対する把持ケース７０の回転にともない折曲部分６７Ｂが通電金具６７に接触するとき、金具のエッジ部分が通電金具６７と接触する構成と比較して、通電金具６７と接触するときに陽極金具６４が削れにくい。
【０２１０】
（３９）本体ケース１１は、アウターケース２０およびインナーケース３０の結合部分よりも上方向ＺＡに把持側シール部材２５を有する。すなわち把持側シール部材２５は、把持ケース７０の開口部分７３付近の把持内面７０Ｗと接触することにより、本体ケース１１と把持ケース７０との隙間をシールする。この構成によれば、本体ケース１１内部に異物が進入することが抑制される。また、１つの把持側シール部材２５により異物進入を抑制する効果が得られるため、複数の弾性部材により同様の効果を奏する構成と比較して、歯ブラシ本体１０の体格を小さくすることができる。
【０２１１】
（４０）本体結合構造Ｔは、インナーケース３０のインナー側嵌合部分ＴＡおよびアウターケース２０のアウター側嵌合部分ＴＢを有する。インナー側嵌合部分ＴＡは、インナーケース３０の基礎部分３１Ｆに対して３つの支持部分３１Ｇにより接続される。この構成によれば、インナー側嵌合部分ＴＡが支持部分３１Ｇにより基礎部分３１Ｆに接続されない構成と比較して、インナー側嵌合部分ＴＡの強度が高くなる。
【０２１２】
（４１）第１部品結合構造Ｓは、上部結合部分２１のアウター側嵌合部分ＳＡおよび歯ブラシアタッチメント５０の第１部品側嵌合部分ＳＢを有する。アウター側嵌合部分ＳＡは、上部結合部分２１に対する歯ブラシアタッチメント５０の回転を規制する構造を有する。この構成によれば、歯ブラシアタッチメント５０が上部結合部分２１に取り付けられた状態において、歯ブラシアタッチメント５０が上部結合部分２１に対して回転することが抑制される。
【０２１３】
（４２）アウター側嵌合部分ＳＡの直立壁部ＳＡ１は、歯ブラシアタッチメント５０に操作感を付与する機能と、歯ブラシアタッチメント５０の回転を規制する機能とを有する。この構成によれば、これらの２つの機能を個別の部品に持たせる構成と比較して、第１部品結合構造Ｓを小型化することができる。
【０２１４】
（第２実施形態）
図３６に示される本実施形態の携帯型口腔衛生装置１は、図１に示される第１実施形態の携帯型口腔衛生装置１との主要な相違点として、次の相違点を有する。すなわち、第１実施形態の携帯型口腔衛生装置１の電動歯ブラシ２は、第２機能部品としてステインケアアタッチメント１００を有する。一方、本実施形態の携帯型口腔衛生装置１の電動歯ブラシ２は、第２機能部品として歯間ブラシアタッチメント２００を有する。以下では、第１実施形態の電動歯ブラシ２と異なる点の詳細を説明し、第１実施形態と共通する構成については同一の符号を付してその説明の一部または全部を省略する。
【０２１５】
図３６（ａ）は、図２（ａ）において歯ブラシアタッチメント５０がＸＺ平面において破断された状態の電動歯ブラシ２を示す。歯ブラシ本体１０は、歯間ブラシアタッチメント２００を有する。歯間ブラシアタッチメント２００は、アウターケース２０の先端結合部分２４と結合する。また、歯ブラシアタッチメント５０内の空間に位置する。
【０２１６】
図３６（ｂ）は、図３６（ａ）において歯ブラシアタッチメント５０を省略し、かつ歯間ブラシアタッチメント２００を先端結合部分２４から分離した状態の電動歯ブラシ２を示す。先端結合部分２４の構成は、第１実施形態の先端結合部分２４の構成と共通している。
【０２１７】
図３７を参照して、歯間ブラシアタッチメント２００の構成について説明する。図３７（ａ）は、歯間ブラシアタッチメント２００の左側面構造を示す。図３７（ｂ）は、歯間ブラシアタッチメント２００の正面構造を示す。図３７（ｃ）は、歯間ブラシアタッチメント２００の背面構造を示す。図３７（ｄ）は、歯間ブラシアタッチメント２００の平面構造を示す。図３７（ｅ）は、歯間ブラシアタッチメント２００の底面構造を示す。
【０２１８】
図３７（ａ）〜図３７（ｃ）に示されるように、歯間ブラシアタッチメント２００は、口腔内に挿入される清掃部分２１０と、清掃部分２１０を支持する挿入部分２２０とを有する。清掃部分２１０は、ベースの樹脂材料の表面に別の樹脂材料が成形された構造を有する。清掃部分２１０および挿入部分２２０は、ベースの樹脂材料により一体の部材として成形されている。歯間ブラシアタッチメント２００のベースの樹脂材料としては、ポリプロピレン樹脂が用いられている。清掃部分２１０の表面に成形される別の樹脂材料としては、エラストマーが用いられている。なお、挿入部分２２０は第２部品結合構造Ｖの第２部品側嵌合部分ＶＢ（図９参照）に相当する。
【０２１９】
図３７（ａ）〜図３７（ｃ）に示されるように、清掃部分２１０は、歯間の汚れを除去する複数の突起２１２と、複数の突起２１２を支持する支柱２１１と、先端結合部分２４の先端支持部分２４Ａ（図３８参照）に接触する基礎部分２１３とを有する。基礎部分２１３は、底面の周囲においてＲ加工が施された部分を有する。
【０２２０】
図３７（ａ）および図３７（ｂ）に示されるように、挿入部分２２０は、先端結合部分２４の前方の内面に対向する前方接触部分２２１と、先端結合部分２４の後方の内面に対向する後方接触部分２２２とを有する。またこの他に、後方接触部分２２２の上部と基礎部分２１３の底面とを互いに接続する上部接続部分２２３と、後方接触部分２２２の下部と前方接触部分２２１の下部とを互いに接続する下部接続部分２２４とを有する。またこの他に、前方向ＸＡへの後方接触部分２２２の変形を許容する中間開口部分２２７を有する。
【０２２１】
上部接続部分２２３の外面は、Ｘ方向において後方接触部分２２２の外面よりも後方向ＸＢに位置する。下部接続部分２２４の外面は、Ｘ方向において後方接触部分２２２の外面よりも後方向ＸＢに位置する。なお、Ｘ方向における上部接続部分２２３の外面と後方接触部分２２２の外面との距離、および下部接続部分２２４の外面と後方接触部分２２２の外面との距離は、上部接続部分２２３および下部接続部分２２４のＸ方向の寸法に対して十分に小さい。このため、図３７（ａ）、図３８（ｃ）、および図３９（ａ）〜（ｃ）は、後方接触部分２２２の外面、上部接続部分２２３の外面、および下部接続部分２２４の外面の表示を簡略化し、Ｘ方向においてこれらの各外面を同一の位置に示している。
【０２２２】
図３７（ａ）に示されるように、前方接触部分２２１は、後方接触部分２２２の変形を規制する規制凸部２２６を有する。後方接触部分２２２は、先端結合部分２４の後方窓部分２４Ｄ（図３８参照）に嵌め込まれる後方嵌合凸部２２５を有する。
【０２２３】
図３７（ｃ）に示されるように、歯間ブラシアタッチメント２００の背面視において、上部接続部分２２３のＹ方向の寸法は、後方接触部分２２２のＹ方向の寸法よりも大きい。また、下部接続部分２２４のＹ方向の寸法は、後方接触部分２２２のＹ方向の寸法よりも大きい。
【０２２４】
図３８を参照して、第２部品結合構造Ｖの詳細について説明する。図３８（ａ）は、歯間ブラシアタッチメント２００およびアウターケース２０の左側面構造を示す。図３８（ｂ）は、歯間ブラシアタッチメント２００およびアウターケース２０の背面構造を示す。図３８（ｃ）は、図３８（ｂ）のＤ３８Ｂ−Ｄ３８Ｂ平面においてアウターケース２０が破断された状態の断面構造を示す。図３８（ｄ）は、図３８（ａ）のＤ３８Ａ−Ｄ３８Ａ平面においてアウターケース２０が破断された状態の断面構造を示す。なお、図３８は各部品の中心軸を省略している。
【０２２５】
アウターケース２０の上部結合部分２１、先端結合部分２４、歯間ブラシアタッチメント２００の支柱２１１、および挿入部分２２０は、それぞれＸＹ平面に直交する中心軸を有する。
【０２２６】
図３８（ａ）および図３８（ｃ）に示されるように、電動歯ブラシ２のＸＺ平面において、上部結合部分２１の中心軸、先端結合部分２４の中心軸、支柱２１１の中心軸、および挿入部分２２０の中心軸は互いに平行する。先端結合部分２４の中心軸、支柱２１１の中心軸、および挿入部分２２０の中心軸は、上部結合部分２１の中心軸に対して後方向ＸＢに位置する。支柱２１１の中心軸は、先端結合部分２４の中心軸および挿入部分２２０の中心軸に対して後方向ＸＢに位置する。先端結合部分２４および挿入部分２２０は、同軸を有する。
【０２２７】
図３８（ｂ）および図３８（ｃ）に示されるように、挿入部分２２０は、全体が先端結合部分２４のアウター側嵌合部分ＶＡに挿入されている。基礎部分２１３の底面は、先端結合部分２４の先端支持部分２４Ａに接触する。
【０２２８】
図３８（ｃ）に示されるように、前方接触部分２２１の外面は、先端結合部分２４の内面に接触する。後方嵌合凸部２２５の上側傾斜面２２５Ａは、後方窓部分２４Ｄの開口面２４Ｅにおける上方向ＺＡ側の部分と隙間を介して対向する。後方嵌合凸部２２５の下側傾斜面２２５Ｂは、後方窓部分２４Ｄの開口面２４Ｅのうちの下方向ＺＢ側の部分と隙間を介して対向する。前方接触部分２２１の外面における正面側の部分は、前方窓部分２４Ｃを介して先端結合部分２４の外部に露出する。後方嵌合凸部２２５の外面における背面側の部分は、後方窓部分２４Ｄを介して先端結合部分２４の外部に露出する。
【０２２９】
図３８（ｂ）および図３８（ｄ）に示されるように、歯ブラシ本体１０の背面視において、基礎部分２１３の右方向ＹＡの端は、先端支持部分２４Ａの右方向ＹＡの端よりも内方向側に位置する。また、基礎部分２１３の左方向ＹＢの端は、先端支持部分２４Ａの左方向ＹＢの端よりも内方向側に位置する。
【０２３０】
図３８（ａ）および図３８（ｃ）に示されるように、歯ブラシ本体１０の側面視において、基礎部分２１３の前方向ＸＡの端は、先端支持部分２４Ａの前方向ＸＡの端よりも内方向側に位置する。また、基礎部分２１３の後方向ＸＢの端および先端支持部分２４Ａの前方向ＸＡの端は、Ｘ方向において略同じ箇所に位置する。
【０２３１】
図３９を参照して、歯間ブラシアタッチメント２００の結合手順について説明する。
図３９（ａ）に示されるように、歯間ブラシアタッチメント２００の挿入部分２２０は、先端結合部分２４に対する下方向ＺＢへの移動によりアウター側嵌合部分ＶＡを移動する。前方接触部分２２１および後方接触部分２２２は、アウター側嵌合部分ＶＡの内面に接触した状態でアウター側嵌合部分ＶＡに対して下方向ＺＢに移動する。挿入部分２２０の後方嵌合凸部２２５の下側傾斜面２２５Ｂは、先端結合部分２４に対する挿入部分２２０の移動量が所定量に達したとき、先端結合部分２４の先端支持部分２４Ａに接触する。
【０２３２】
図３９（ｂ）に示されるように、後方嵌合凸部２２５は、図３９（ａ）の状態において追加嵌合力よりも大きい力が下方向ＺＢに作用するとき、アウター側嵌合部分ＶＡと下側傾斜面２２５Ｂとの接触によりアウター側嵌合部分ＶＡの内面上に乗り上げる。このとき、後方接触部分２２２は、アウター側嵌合部分ＶＡから付与される反力により中間開口部分２２７に向けて変形する。
【０２３３】
図３９（ｃ）に示されるように、後方嵌合凸部２２５は、図３９（ｂ）の状態において下方向ＺＢに作用する力によりアウター側嵌合部分ＶＡに対してさらに下方向ＺＢに移動したとき、アウター側嵌合部分ＶＡの内面上から先端結合部分２４の後方窓部分２４Ｄの空間に移動する。
【０２３４】
図３９（ｄ）は、図３９（ｃ）の状態における後方嵌合凸部２２５およびその周辺の拡大構造を示す。後方嵌合凸部２２５の上側傾斜面２２５Ａは、対向する後方窓部分２４Ｄの開口面２４Ｅに対して、前方向ＸＡから後方向ＸＢに向かうにつれて下方向ＺＢから上方向ＺＡに向けて傾斜する。後方嵌合凸部２２５の下側傾斜面２２５Ｂは、対向する後方窓部分２４Ｄの開口面２４Ｅに対して、前方向ＸＡから後方向ＸＢに向かうにつれて下方向ＺＢから上方向ＺＡに向けて傾斜する。Ｘ方向に対する下側傾斜面２２５Ｂの傾斜角度は、Ｘ方向に対する上側傾斜面２２５Ａの傾斜角度よりも大きい。
【０２３５】
前方接触部分２２１、上部接続部分２２３、および下部接続部分２２４は、図３９（ｃ）および図３９（ｄ）に示される状態において、アウター側嵌合部分ＶＡの内面との接触によりアウター側嵌合部分ＶＡから反力を受けている。すなわち第２部品結合構造Ｖは、前方接触部分２２１、上部接続部分２２３、および下部接続部分２２４とアウター側嵌合部分ＶＡとの嵌め合いにより挿入部分２２０と先端結合部分２４とを互いに結合する。また、後方嵌合凸部２２５と後方窓部分２４Ｄとの嵌め合いにより、挿入部分２２０とアウター側嵌合部分ＶＡとの結合力を高めている。
【０２３６】
本実施形態の携帯型口腔衛生装置１は、第１実施形態の携帯型口腔衛生装置１が奏する（１）〜（４２）の効果に準じた効果に加えて、以下の効果を奏する。
（４３）後方嵌合凸部２２５の上側傾斜面２２５Ａは、後方窓部分２４Ｄの開口面２４Ｅに対して、前方向ＸＡから後方向ＸＢに向かうにつれて下方向ＺＢから上方向ＺＡに向けて傾斜する。このため、上側傾斜面２２５Ａが反対方向に傾斜する仮想の構成と比較して、後方嵌合凸部２２５が後方窓部分２４Ｄと接触したとき、後方接触部分２２２が内方向に変形しにくい。このため、挿入部分２２０が先端結合部分２４から離脱しにくい。なお、上記仮想の構成の上側傾斜面２２５Ａは、前方向ＸＡから後方向ＸＢに向かうにつれて上方向ＺＡから下方向ＺＢに向けて傾斜する。
【０２３７】
（４４）第２部品結合構造Ｖは、先端結合部分２４に形成された後方窓部分２４Ｄと、歯間ブラシアタッチメント２００に形成された後方嵌合凸部２２５とを互いに嵌め合わせることが可能な構造を有する。この構成によれば、アウターケース２０および歯間ブラシアタッチメント２００を互いに結合する力が一層高くなる。
【０２３８】
（４５）後方窓部分２４Ｄは、後方嵌合凸部２２５が嵌め込まれる貫通孔を有する。この構成によれば、後方嵌合凸部２２５を嵌め込むための構造を容易に形成することができる。また、歯間ブラシアタッチメント２００をアウターケース２０から分離する手順として、取外工具４００を用いた手順を採用することができる。このため、取外工具４００を用いることなく歯間ブラシアタッチメント２００を分離することが可能な構成と比較して、歯間ブラシアタッチメント２００がアウターケース２０から不用意に分離するおそれが小さくなる。
【０２３９】
（第３実施形態）
図４０に示される本実施形態の携帯型口腔衛生装置１は、図１に示される第１実施形態の携帯型口腔衛生装置１との主要な相違点として、次の相違点を有する。すなわち、第１実施形態の携帯型口腔衛生装置１の電動歯ブラシ２は、第２機能部品としてステインケアアタッチメント１００を有する。一方、本実施形態の携帯型口腔衛生装置１の電動歯ブラシ２は、第２機能部品として歯間ブラシアタッチメント３００を有する。以下では、第１実施形態の電動歯ブラシ２と異なる点の詳細を説明し、第１実施形態と共通する構成については同一の符号を付してその説明の一部または全部を省略する。
【０２４０】
図４０（ａ）は、図２（ａ）において歯ブラシアタッチメント５０がＸＺ平面において破断された状態の携帯型口腔衛生装置１を示す。歯ブラシ本体１０は、歯間ブラシアタッチメント３００を有する。歯間ブラシアタッチメント３００は、アウターケース２０の先端結合部分２４と結合する。また、歯ブラシアタッチメント５０内の空間に位置する。
【０２４１】
図４０（ｂ）は、図４０（ａ）において歯ブラシアタッチメント５０が省略され、かつ歯間ブラシアタッチメント３００が先端結合部分２４から分離された状態の携帯型口腔衛生装置１を示す。なお、先端結合部分２４の構成は、第１実施形態の先端結合部分２４の構成と共通している。
【０２４２】
図４１〜図４４を参照して、歯間ブラシアタッチメント３００の構成について説明する。図４１は、第２固定部品３４０が取り外された状態の歯間ブラシアタッチメント３００を示す。図４２は、歯間ブラシアタッチメント３００の第２固定部品３４０を示す。図４３および図４４は、歯間ブラシアタッチメント３００を示す。
【０２４３】
図４３（ａ）〜図４３（ｃ）に示されるように、歯間ブラシアタッチメント３００は、口腔内に挿入される清掃部品３１０と、清掃部品３１０を支持する固定部品３２０とを有する。清掃部品３１０および固定部品３２０は、樹脂材料により個別の部品として構成されている。清掃部品３１０は、歯を研磨する複数のブリッスル３１２と、複数のブリッスル３１２を支持するワイヤー軸３１１とを有する。
【０２４４】
図４３（ｃ）に示されるように、固定部品３２０は、清掃部品３１０が挿入される第１固定部品３３０と、第１固定部品３３０に挿入される第２固定部品３４０とを有する。第１固定部品３３０および第２固定部品３４０は、同一の樹脂材料により個別の部品として構成されている。
【０２４５】
清掃部品３１０および第１固定部品３３０の樹脂材料としては、口腔内の組織に対してソフトな接触感を付与するものを用いることが好ましい。ここでは、ポリプロピレン樹脂が清掃部品３１０および第１固定部品３３０の樹脂材料として用いられている。第２固定部品３４０の樹脂材料としては、フックとしての機能を維持するために高い強度を有するものを用いることが好ましい。ここでは、ポリアセタール樹脂が第２固定部品３４０の樹脂材料として用いられている。
【０２４６】
図４１を参照して、第１固定部品３３０の構成について説明する。図４１（ａ）は、清掃部品３１０付きの第１固定部品３３０の左側面構造を示す。図４１（ｂ）は、清掃部品３１０付きの第１固定部品３３０の正面構造を示す。図４１（ｃ）は、清掃部品３１０付きの第１固定部品３３０の背面構造を示す。図４１（ｄ）は、清掃部品３１０付きの第１固定部品３３０の平面構造を示す。図４１（ｅ）は、清掃部品３１０付きの第１固定部品３３０の底面構造を示す。
【０２４７】
図４１（ａ）〜図４１（ｃ）に示されるように、第１固定部品３３０は、ワイヤー軸３１１が挿入される支柱挿入部分３３１と、支柱挿入部分３３１を支持する基礎部分３３２と、第２固定部品３４０が嵌め込まれる部品挿入部分３３３とを有する。基礎部分３３２は、底面の周囲においてＲ加工が施された部分を有する。支柱挿入部分３３１、基礎部分３３２、および部品挿入部分３３３は、同一の樹脂材料により一体の部品として構成されている。
【０２４８】
図４１（ｃ）および図４１（ｅ）に示されるように、部品挿入部分３３３は、第２固定部品３４０の各部分（図４２参照）に対応した頂面嵌合凹部３３４、上部嵌合凹部３３５、中間嵌合凸部３３６、および下部嵌合凹部３３７を有する。また、取外工具４００の押付部分４２０（図４７参照）の形状に対応した傾斜部分３３８を有する。なお、部品挿入部分３３３は第２部品結合構造Ｖの第２部品側嵌合部分ＶＢ（図９参照）に相当する。
【０２４９】
図４１（ｅ）に示されるように、頂面嵌合凹部３３４は、第２固定部品３４０の上部嵌合凸部３４４（図４２参照）に対応した凹形状を有する。また、部品挿入部分３３３の頂面に相当する基礎部分３３２の底面に形成されている。
【０２５０】
図４１（ｃ）に示されるように、上部嵌合凹部３３５は、第２固定部品３４０の平板部分３４２（図４２参照）に対応した凹形状を有する。中間嵌合凸部３３６は、第２固定部品３４０の中間嵌合凹部３４５（図４２参照）に対応した凸形状を有する。下部嵌合凹部３３７は、第２固定部品３４０の側部嵌合凸部３４６（図４２参照）に対応した凹形状を有する。
【０２５１】
図４２を参照して、第２固定部品３４０の構成について説明する。図４２（ａ）は、第２固定部品３４０の左側面構造を示す。図４２（ｂ）は、第２固定部品３４０の正面構造を示す。図４２（ｃ）は、第２固定部品３４０の背面構造を示す。図４２（ｄ）は、第２固定部品３４０の斜視構造を示す。図４２（ｅ）は、第２固定部品３４０の平面構造を示す。図４２（ｆ）は、第２固定部品３４０の底面構造を示す。
【０２５２】
図４２（ａ）および図４２（ｄ）および図４２（ｅ）に示されるように、第２固定部品３４０は、側面視においてＵ字に類似する形状を有する本体部分３４１と、平面視において四角形状を有する平板部分３４２と、本体部分３４１および平板部分３４２を互いに接続する連結部分３４３とを有する。本体部分３４１、平板部分３４２、および連結部分３４３は、同一の樹脂材料により一体の部品として構成されている。
【０２５３】
図４２（ａ）に示されるように、本体部分３４１は、Ｚ方向に長い形状を有する前方直線部分３４１Ａおよび後方直線部分３４１Ｂと、前方直線部分３４１Ａの一方の端部と後方直線部分３４１Ｂの他方の端部とを互いに接続する湾曲部分３４１Ｃとを有する。前方直線部分３４１Ａの他方の端部は、連結部分３４３に接続されている。後方直線部分３４１Ｂの他方の端部は、平板部分３４２の底面と対向する。
【０２５４】
図４２（ａ）および図４２（ｃ）に示されるように、平板部分３４２は、第１固定部品３３０の頂面嵌合凹部３３４に嵌め込まれる上部嵌合凸部３４４を有する。後方直線部分３４１Ｂは、先端結合部分２４の後方窓部分２４Ｄ（図４５参照）に嵌め込まれる１つの後方嵌合凸部３４７と、第１固定部品３３０の下部嵌合凹部３３７（図４３参照）に嵌め込まれる２つの側部嵌合凸部３４６とを有する。
【０２５５】
図４２（ｂ）に示されるように、第２固定部品３４０の正面視において、連結部分３４３の幅は前方直線部分３４１Ａの幅および平板部分３４２の幅よりも小さい。このため連結部分３４３は、前方直線部分３４１Ａおよび平板部分３４２との間において、第１固定部品３３０の中間嵌合凸部３３６（図４３参照）に対応した中間嵌合凹部３４５を形成する。
【０２５６】
図４３および図４４を参照して、固定部品３２０の構成について説明する。
図４３（ａ）は、歯間ブラシアタッチメント３００の左側面構造を示す。図４３（ｂ）は、歯間ブラシアタッチメント３００の正面構造を示す。図４３（ｃ）は、歯間ブラシアタッチメント３００の背面構造を示す。図４３（ｄ）は、歯間ブラシアタッチメント３００の平面構造を示す。図４３（ｅ）は、歯間ブラシアタッチメント３００の底面構造を示す。
【０２５７】
図４４（ａ）は、図４３のＤ４３Ａ−Ｄ４３Ａ平面において第１固定部品３３０が破断された歯間ブラシアタッチメント３００の斜視構造を示す。図４４（ｂ）は、図４３のＤ４３Ａ−Ｄ４３Ａ平面における歯間ブラシアタッチメント３００の断面構造を示す。図４４（ｃ）は、図４３のＤ４３Ｂ−Ｄ４３Ｂ平面における歯間ブラシアタッチメント３００の断面構造を示す。
【０２５８】
図４３（ａ）および図４３（ｅ）に示されるように、第２固定部品３４０の後方嵌合凸部３４７は、第１固定部品３３０の部品挿入部分３３３の下部において部品挿入部分３３３の開口部分から後方向ＸＢに突出する。
【０２５９】
図４３（ｂ）および図４３（ｅ）に示されるように、第２固定部品３４０の前方直線部分３４１Ａおよび湾曲部分３４１Ｃは、第１固定部品３３０の正面側の開口部分において前方向ＸＡに露出する。
【０２６０】
図４４（ａ）および図４４（ｂ）に示されるように、第２固定部品３４０の上部嵌合凸部３４４は、第１固定部品３３０の頂面嵌合凹部３３４に嵌め込まれている。第２固定部品３４０の平板部分３４２における前方向ＸＡ側の端面は、第１固定部品３３０の上部嵌合凹部３３５の内面に押し付けられている。
【０２６１】
図４３（ｃ）および図４４（ｃ）に示されるように、第２固定部品３４０の平板部分３４２は、第１固定部品３３０の上部嵌合凹部３３５に嵌め込まれている。第２固定部品３４０の側部嵌合凸部３４６は、第１固定部品３３０の下部嵌合凹部３３７に嵌め込まれている。
【０２６２】
図４３（ｃ）および図４４（ｂ）に示されるように、第１固定部品３３０の中間嵌合凸部３３６のうちの第２固定部品３４０に対応する部分は、第２固定部品３４０の中間嵌合凹部３４５に嵌め込まれている。
【０２６３】
図４５を参照して、第２部品結合構造Ｖの詳細について説明する。図４５（ａ）は、歯間ブラシアタッチメント３００およびアウターケース２０の左側面構造を示す。図４５（ｂ）は、歯間ブラシアタッチメント３００およびアウターケース２０の背面構造を示す。図４５（ｃ）は、図４５（ｂ）のＤ４５Ｂ−Ｄ４５Ｂ平面においてアウターケース２０が破断された状態の断面構造を示す。図４５（ｄ）は、図４５（ａ）のＤ４５Ａ−Ｄ４５Ａ平面においてアウターケース２０が破断された状態の断面構造を示す。
【０２６４】
アウターケース２０の上部結合部分２１、アウターケース２０の先端結合部分２４、歯間ブラシアタッチメント３００のワイヤー軸３１１、および歯間ブラシアタッチメント３００の固定部品３２０は、それぞれＸＹ平面に直交する中心軸を有する。
【０２６５】
図４５（ａ）および図４５（ｃ）に示されるように、電動歯ブラシ２のＸＺ平面において、上部結合部分２１の中心軸、先端結合部分２４の中心軸、ワイヤー軸３１１の中心軸、および固定部品３２０の中心軸は互いに平行する。先端結合部分２４の中心軸、ワイヤー軸３１１の中心軸、および固定部品３２０の中心軸は、上部結合部分２１の中心軸に対して後方向ＸＢに位置する。ワイヤー軸３１１の中心軸は、先端結合部分２４の中心軸および固定部品３２０の中心軸に対して後方向ＸＢに位置する。先端結合部分２４および固定部品３２０は、同軸を有する。
【０２６６】
図４５（ｃ）に示されるように、固定部品３２０の部品挿入部分３３３は、全体が先端結合部分２４のアウター側嵌合部分ＶＡに挿入されている。基礎部分３３２の底面は、先端結合部分２４の先端支持部分２４Ａに接触する。部品挿入部分３３３の前方向ＸＡの外面および後方向ＸＢの外面は、先端結合部分２４の内面に接触する。後方嵌合凸部３４７の上側傾斜面３４７Ａは、後方窓部分２４Ｄの開口面２４Ｅのうちの上方向ＺＡ側の部分と隙間を介して対向する。後方嵌合凸部３４７の下側傾斜面３４７Ｂは、後方窓部分２４Ｄの開口面２４Ｅのうちの下方向ＺＢ側の部分と隙間を介して対向する。
【０２６７】
図４５（ｃ）に示されるように、部品挿入部分３３３の前方向ＸＡ側の外面は、前方窓部分２４Ｃを介して先端結合部分２４の外部に露出する。後方嵌合凸部３４７の後方向ＸＢ側の外面は、後方窓部分２４Ｄを介して先端結合部分２４の外部に露出する。
【０２６８】
図４５（ｂ）および図４５（ｄ）に示されるように、歯ブラシ本体１０の背面視において、基礎部分３３２の右方向ＹＡの端および先端支持部分２４Ａの右方向ＹＡは、Ｙ方向において略同じ箇所に位置する。基礎部分３３２の左方向ＹＢの端および先端支持部分２４Ａの左方向ＹＢは、Ｙ方向において略同じ箇所に位置する。
【０２６９】
図４５（ａ）および図４５（ｃ）に示されるように、歯ブラシ本体１０の側面視において、基礎部分３３２の前方向ＸＡの端は、先端支持部分２４Ａの前方向ＸＡの端よりも内方向側に位置する。基礎部分３３２の後方向ＸＢの端は、先端支持部分２４Ａの前方向ＸＡの端よりも外方向側に位置する。
【０２７０】
図４６を参照して、歯間ブラシアタッチメント３００の結合手順について説明する。
図４６（ａ）に示されるように、歯間ブラシアタッチメント３００の部品挿入部分３３３は、先端結合部分２４に対する下方向ＺＢへの移動によりアウター側嵌合部分ＶＡに挿入される。部品挿入部分３３３の外面は、アウター側嵌合部分ＶＡの内面に接触した状態でアウター側嵌合部分ＶＡに対して下方向ＺＢに移動する。固定部品３２０の後方嵌合凸部３４７の下側傾斜面３４７Ｂは、先端結合部分２４に対する固定部品３２０の移動量が所定量に達したとき、先端結合部分２４の先端支持部分２４Ａに接触する。
【０２７１】
図４６（ｂ）に示されるように、後方嵌合凸部３４７は、図４６（ａ）の状態において追加嵌合力よりも大きい力が下方向ＺＢに作用するとき、アウター側嵌合部分ＶＡと後方嵌合凸部３４７との接触によりアウター側嵌合部分ＶＡの内面上に乗り上げる。このとき、後方直線部分３４１Ｂ（図４４（ｂ）参照）は、アウター側嵌合部分ＶＡから付与される反力により前方直線部分３４１Ａに向けて変形する。
【０２７２】
図４６（ｃ）に示されるように、後方嵌合凸部３４７は、図４６（ｂ）の状態において下方向ＺＢに作用する力によりアウター側嵌合部分ＶＡに対してさらに下方向ＺＢに移動したとき、アウター側嵌合部分ＶＡの内面上から先端結合部分２４の後方窓部分２４Ｄの空間に移動する。
【０２７３】
図４６（ｄ）は、図４６（ｃ）の状態における後方嵌合凸部３４７およびその周辺の拡大構造を示す。後方嵌合凸部３４７の上側傾斜面３４７Ａは、対向する後方窓部分２４Ｄの開口面２４Ｅに対して、前方向ＸＡから後方向ＸＢに向かうにつれて下方向ＺＢから上方向ＺＡに向けて傾斜する。後方嵌合凸部３４７の下側傾斜面３４７Ｂは、対向する後方窓部分２４Ｄの開口面２４Ｅに対して、前方向ＸＡから後方向ＸＢに向かうにつれて下方向ＺＢから上方向ＺＡに向けて傾斜する。Ｘ方向に対する下側傾斜面３４７Ｂの傾斜角度は、Ｘ方向に対する上側傾斜面３４７Ａの傾斜角度よりも大きい。
【０２７４】
部品挿入部分３３３の外面は、図４６に示される各状態において、アウター側嵌合部分ＶＡの内面との接触によりアウター側嵌合部分ＶＡから反力を受けている。すなわち固定部品３２０は、部品挿入部分３３３とアウター側嵌合部分ＶＡとの嵌め合いにより結合されている。また、後方嵌合凸部３４７と後方窓部分２４Ｄとの嵌め合いによりアウター側嵌合部分ＶＡとの結合力がより高められている。
【０２７５】
図４７を参照して、取外工具４００の構成について説明する。
図４０に示される本実施形態の携帯型口腔衛生装置１は、電動歯ブラシ２およびキャップ８０に加えて、歯間ブラシアタッチメント３００をアウターケース２０から分離するための取外工具４００を有する。
【０２７６】
図４７（ａ）に示されるように、取外工具４００は、歯間ブラシアタッチメント３００の取り外し作業時にユーザーが把持する把持部分４１０と、先端結合部分２４の前方窓部分２４Ｃおよび後方窓部分２４Ｄ（図４８参照）に挿入される２つの押付部分４２０とを有する。把持部分４１０および各押付部分４２０は、同一の樹脂材料により一体の部品として形成される。
【０２７７】
図４７（ｂ）に示されるように、取外工具４００は、歯間ブラシアタッチメント３００を取り外すとき、一方の押付部分４２０を前方窓部分２４Ｃに挿入するとともに他方の押付部分４２０を後方窓部分２４Ｄ（図４８参照）に挿入する。各押付部分４２０は、この状態において各押付部分４２０を互いに接近させる力が加えられるとき、歯間ブラシアタッチメント３００および先端結合部分２４を互いに分離する。
【０２７８】
図４８を参照して、歯間ブラシアタッチメント３００の分離手順について説明する。
図４８（ａ）に示されるように、ユーザーは、歯間ブラシアタッチメント３００を先端結合部分２４から取り外すとき、取外工具４００の各押付部分４２０を前方窓部分２４Ｃおよび後方窓部分２４Ｄと対応する箇所に配置する。
【０２７９】
図４８（ｂ）に示されるように、ユーザーは、把持部分４１０に内方向の力を加えることにより前方向ＸＡ側の押付部分４２０および後方向ＸＢ側の押付部分４２０を互いに接近させる。前方向ＸＡ側の押付部分４２０は、把持部分４１０に加えられた力により前方窓部分２４Ｃに進入し、部品挿入部分３３３の傾斜部分３３８（図４１参照）に押し付けられる。後方向ＸＢ側の押付部分４２０は、把持部分４１０に加えられた力により後方窓部分２４Ｄに進入し、後方嵌合凸部３４７に押し付けられる。
【０２８０】
図４８（ｂ）に示されるように、後方嵌合凸部３４７および後方直線部分３４１Ｂは、押付部分４２０から加えられる力により前方向ＸＡに移動する。このため、後方嵌合凸部３４７および後方窓部分２４Ｄは互いに分離する。また部品挿入部分３３３は、前方向ＸＡ側の押付部分４２０から傾斜部分３３８に加えられる力の分力として上方向ＺＡに作用する力を受ける。
【０２８１】
図４８（ｃ）に示されるように、ユーザーは、後方向ＸＢ側の押付部分４２０により後方嵌合凸部３４７および後方窓部分２４Ｄが互いに分離した状態を保持し、かつ前方向ＸＡ側の押付部分４２０により部品挿入部分３３３に上方向ＺＡの力を付与しているとき、歯間ブラシアタッチメント３００を先端結合部分２４に対して上方向ＺＡに移動させる。これにより、歯間ブラシアタッチメント３００は先端結合部分２４から分離する。
【０２８２】
本実施形態の携帯型口腔衛生装置１は、第１実施形態の携帯型口腔衛生装置１が奏する（１）〜（４２）の効果に準じた効果に加えて、以下の効果を奏する。
（４６）後方嵌合凸部３４７の上側傾斜面３４７Ａは、後方窓部分２４Ｄの開口面２４Ｅに対して、前方向ＸＡから後方向ＸＢに向かうにつれて下方向ＺＢから上方向ＺＡに向けて傾斜する。このため、上側傾斜面３４７Ａが反対方向に傾斜する仮想の構成と比較して、後方嵌合凸部３４７が後方窓部分２４Ｄと接触したとき、後方直線部分３４１Ｂが内方向に変形しにくい。このため、固定部品３２０が先端結合部分２４から離脱しにくい。なお、上記仮想の構成の上側傾斜面３４７Ａは、前方向ＸＡから後方向ＸＢに向かうにつれて上方向ＺＡから下方向ＺＢに向けて傾斜する。
【０２８３】
（４７）歯間ブラシアタッチメント３００の部品挿入部分３３３は、傾斜部分３３８を有する。また取外工具４００は、傾斜部分３３８に対応した形状の押付部分４２０を有する。このため、ユーザーは取外工具４００の各押付部分４２０により部品挿入部分３３３を挟み込むことにより、歯間ブラシアタッチメント３００に上方向ＺＡの力を付与することができる。このため、歯間ブラシアタッチメント３００を先端結合部分２４から容易に分離することができる。
【０２８４】
（その他の実施形態）
本発明は、第１〜第３実施形態以外の実施形態を含む。以下、本発明のその他の実施形態としての第１〜第３実施形態の変形例を示す。なお、以下の各変形例は、互いに組み合わせることもできる。
【０２８５】
・第２実施形態の第２部品結合構造Ｖは、前方接触部分２２１、上部接続部分２２３、および下部接続部分２２４とアウター側嵌合部分ＶＡとの嵌め合いにより挿入部分２２０と先端結合部分２４とを互いに結合する。一方、変形例の第２部品結合構造Ｖは、以下の（Ａ）または（Ｂ）の構造を有する。
（Ａ）前方接触部分２２１、上部接続部分２２３、および下部接続部分２２４の組み合わせに代えて、前方接触部分２２１および後方接触部分２２２とアウター側嵌合部分ＶＡとの嵌め合いにより挿入部分２２０と先端結合部分２４とを互いに結合する。なお、後方接触部分２２２の外面は、Ｘ方向において上部接続部分２２３の外面および下部接続部分２２４の外面よりも後方向ＸＢに位置する。
（Ｂ）前方接触部分２２１、上部接続部分２２３、下部接続部分２２４、および後方接触部分２２２とアウター側嵌合部分ＶＡとの嵌め合いにより挿入部分２２０と先端結合部分２４とを互いに結合する。なお、後方接触部分２２２の外面は、Ｘ方向において上部接続部分２２３の外面および下部接続部分２２４の外面と同じ箇所に位置する。
【０２８６】
・第３実施形態の後方嵌合凸部３４７の上側傾斜面３４７Ａは、後方窓部分２４Ｄの開口面２４Ｅに対して、前方向ＸＡから後方向ＸＢに向かうにつれて下方向ＺＢから上方向ＺＡに向けて傾斜する。一方、変形例の後方嵌合凸部３４７の上側傾斜面３４７Ａは、図４９（ａ）に示されるように、後方窓部分２４Ｄの開口面２４Ｅに対して、前方向ＸＡから後方向ＸＢに向かうにつれて上方向ＺＡから下方向ＺＢに向けて傾斜する。すなわち、第３実施形態の上記（４６）の欄に記載の仮想の構成を有する。以下では、この変形例を「変形例３ａ」とする。なお、図４９は、図４６（ｄ）に示される歯間ブラシアタッチメント３００の断面構造において、部品挿入部分３３３の表示を図４４（ｃ）における部品挿入部分３３３の表示に置換した断面図を示す。また、第２固定部品３４０については、置換後の部品挿入部分３３３と同一の平面における断面構造を示す。
【０２８７】
図４９（ａ）に示されるように、変形例３ａの電動歯ブラシ２は、Ｘ方向に対する下部嵌合凹部３３７の下側面３３７Ｂの傾斜角度ＰＢがＸ方向に対する上側傾斜面３４７Ａの傾斜角度ＰＡよりも大きい。
【０２８８】
一方、下側面３３７Ｂが側部嵌合凸部３４６の下側傾斜面３４６Ｂに接触するとき、側部嵌合凸部３４６は、後方直線部分３４１Ｂを外方向に移動させる力を下側面３３７Ｂから受ける。このため、後方嵌合凸部３４７を開口面２４Ｅに押し付ける力が大きくなる。すなわち、下側面３３７Ｂから側部嵌合凸部３４６の下側傾斜面３４６Ｂに付与される力は、後方嵌合凸部３４７および後方窓部分２４Ｄの結合力を大きくする方向に作用する。
【０２８９】
他方、後方窓部分２４Ｄの開口面２４Ｅが上側傾斜面３４７Ａに接触するとき、上側傾斜面３４７Ａは、後方嵌合凸部３４７を内方向に移動させる力を開口面２４Ｅから受ける。すなわち、開口面２４Ｅから上側傾斜面３４７Ａに付与される力は、後方嵌合凸部３４７および後方窓部分２４Ｄの結合力を小さくする方向に作用する。
【０２９０】
変形例３ａの電動歯ブラシ２は、上記のとおり傾斜角度ＰＢが傾斜角度ＰＡよりも大きいため、下側面３３７Ｂから下側傾斜面３４６Ｂに付与される力が開口面２４Ｅから上側傾斜面３４７Ａに付与される力よりも大きくなる。このため、下側面３３７Ｂが下側傾斜面３４６Ｂに接触するとともに開口面２４Ｅが上側傾斜面３４７Ａに接触するとき、傾斜角度ＰＢが傾斜角度ＰＡよりも小さい構成と比較して、後方嵌合凸部３４７および後方窓部分２４Ｄの結合力が大きくなる。
【０２９１】
・変形例３ａの電動歯ブラシ２は、図４９（ａ）に示されるように、下側面３３７Ｂと下側傾斜面３４６Ｂとの距離ＱＢが上側傾斜面３４７Ａと開口面２４Ｅとの距離ＱＡよりも大きい。距離ＱＡは、上側傾斜面３４７Ａに対向する開口面２４Ｅと上側傾斜面３４７ＡとがＺ方向において最も接近する部分のＺ方向の距離を示す。距離ＱＢは、下側面３３７Ｂと対向する下側傾斜面３４６Ｂと下側面３３７ＢとがＺ方向において最も接近する部分のＺ方向の距離を示す。
【０２９２】
これに対して、変形例３ａに対する変形例の電動歯ブラシ２は、図４９（ｂ）に示されるように、下側面３３７Ｂと下側傾斜面３４６Ｂとの距離ＱＢが上側傾斜面３４７Ａと開口面２４Ｅとの距離ＱＡよりも小さい。
【０２９３】
この電動歯ブラシ２は、部品挿入部分３３３が第２固定部品３４０に対して上方向ＺＡに移動し、かつ後方窓部分２４Ｄが第２固定部品３４０に対して下方向ＺＢに移動するとき、すなわち取外工具４００が用いられない状態において、歯間ブラシアタッチメント３００に対して上方向ＺＡに引き抜く力が加えられるとき、距離ＱＡおよび距離ＱＢの関係から、下側面３３７Ｂおよび下側傾斜面３４６Ｂの接触が開口面２４Ｅおよび上側傾斜面３４７Ａの接触よりも先に生じる。このため、前者の接触にともない生じる作用、すなわち後方嵌合凸部３４７および後方窓部分２４Ｄの結合力を大きくする作用は、後者の接触にともない生じる作用、すなわち後方嵌合凸部３４７および後方窓部分２４Ｄの結合力を小さくする作用に優先して生じる。このため、距離ＱＢが距離ＱＡよりも大きい構成と比較して、後方嵌合凸部３４７および後方窓部分２４Ｄが分離しにくくなる効果が一層高くなる。
【０２９４】
・第１実施形態の電動歯ブラシ２は、歯ブラシアタッチメント５０内への異物の浸入を妨げる部材として歯ブラシ側シール部材２６を有する。また歯ブラシ側シール部材２６は、アウターケース２０の取付溝２４Ｂに嵌め込まれる。一方、変形例の電動歯ブラシ２は、歯ブラシ側シール部材２６に代えて、図５０に示される歯ブラシ側シール部材９１または図５１に示される歯ブラシ側シール部材９３を有する。以下では、図５０に示される変形例を「変形例Ａ」とし、図５１に示される変形例を「変形例Ｂ」とする。
【０２９５】
図５０に示されるように、変形例Ａの歯ブラシ側シール部材９１は、アウターケース２０の中間結合部分２２の頂面に形成された嵌合溝９２に嵌め込まれる。また、嵌合溝９２に嵌め込まれる環状部分９１Ａと、環状部分９１Ａから上方向ＺＡに突出する突出部分９１Ｂとを有する。突出部分９１Ｂは、歯ブラシアタッチメント５０の端面に密着する。環状部分９１Ａおよび突出部分９１Ｂは、同一の樹脂材料により一体の部材として形成される。
【０２９６】
変形例Ａの電動歯ブラシ２は以下の効果を奏する。
（Ａ）歯ブラシアタッチメント５０内においてステインケアアタッチメント１００が収容される空間に加えて、歯ブラシアタッチメント５０とアウターケース２０の上部結合部分２１との間にも異物が浸入しにくい。
（Ｂ）歯ブラシアタッチメント５０および上部結合部分２１が結合または分離される過程において、突出部分９１Ｂが歯ブラシアタッチメント５０に接触しないため、歯ブラシアタッチメント５０にかかる摩擦抵抗が小さくなる。
【０２９７】
図５１に示されるように、変形例Ｂの歯ブラシ側シール部材９３は、歯ブラシアタッチメント５０の開口部分５９の外面に形成された嵌合溝９４に嵌め込まれる。また、嵌合溝９４に嵌め込まれる環状部分９３Ａと、環状部分９３Ａから下方向ＺＢに突出する突出部分９３Ｂとを有する。突出部分９３Ｂは、中間結合部分２２の頂面に密着する。環状部分９３Ａおよび突出部分９３Ｂは、同一の樹脂材料により一体の部材として形成される。
【０２９８】
変形例Ｂの電動歯ブラシ２は以下の効果を奏する。
（Ａ）歯ブラシ側シール部材９３の外面が歯ブラシアタッチメント５０の外側に露出しているため、歯ブラシ側シール部材９３の色を歯ブラシアタッチメント５０の識別情報として利用することができる。このため、複数の歯ブラシアタッチメント５０を使い分ける使用環境のとき、複数の歯ブラシアタッチメント５０のそれぞれに異なる色の歯ブラシ側シール部材９３を取り付けることにより、シール部材９３の色を用いて複数の歯ブラシアタッチメント５０を管理することができる。
（Ｂ）歯ブラシアタッチメント５０内においてステインケアアタッチメント１００が収容される空間に加えて、歯ブラシアタッチメント５０とアウターケース２０の上部結合部分２１との間にも異物が浸入しにくい。
（Ｃ）歯ブラシアタッチメント５０および上部結合部分２１が結合または分離される過程において、突出部分９３Ｂが歯ブラシアタッチメント５０に接触しないため、歯ブラシアタッチメント５０にかかる摩擦抵抗が小さくなる。
【０２９９】
・第１実施形態の歯ブラシアタッチメント５０は、内部の空間と外部とを互いに連通する部分として開口部分５９のみが形成されたブラシステー５３を有する。一方、変形例の歯ブラシアタッチメント５０のブラシステー５３は、内部の空間と外部とを互いに連通する部分として、図５２に示される連通孔９５を有する。連通孔９５は、ブラシステー５３の背面側の壁部に形成されている。以下では、図５２に示される変形例を「変形例Ｃ」とする。
【０３００】
変形例Ｃの電動歯ブラシ２は、次の効果を奏する。
（Ａ）ブラシステー５３に連通孔９５が形成されていない電動歯ブラシ２と比較して、歯ブラシアタッチメント５０内の乾燥性が高くなる。
（Ｂ）歯ブラシアタッチメント５０が歯ブラシ本体１０に結合された状態において、水洗いにより歯ブラシアタッチメント５０内を清掃することができる。
【０３０１】
・変形例Ｃに対する変形例の電動歯ブラシ２は、図５３に示される半透過膜９７および膜固定部９６をさらに有する。膜固定部９６は、歯ブラシアタッチメント５０の背面側壁部の外面において連通孔９５の周囲に形成されている。半透過膜９７は、膜固定部９６に嵌め込まれている。連通孔９５は、半透過膜９７により覆われている。半透過膜９７としては、気体の通過を許容するとともに液体の通過を許容しないものが用いられている。膜固定部９６に対する半透過膜９７の固定方法としては、例えば超音波溶着または両面テープによる接着を用いることができる。以下では、図５３に示される変形例を「変形例Ｄ」とする。
【０３０２】
変形例Ｄの電動歯ブラシ２は、以下の効果を奏する。
（Ａ）ブラシステー５３に連通孔９５が形成されていない電動歯ブラシ２と比較して、歯ブラシアタッチメント５０内の乾燥性が高くなる。また、変形例Ｃの電動歯ブラシ２と同程度の乾燥性を有する。
（Ｂ）変形例Ｃの電動歯ブラシ２と比較して、使用時において液体が歯ブラシアタッチメント５０内に浸入しにくい。
【０３０３】
・第１実施形態の電動歯ブラシ２は、アウターケース２０の一部分として形成された先端結合部分２４、および先端結合部分２４と結合および分離するステインケアアタッチメント１００を有する。一方、変形例の電動歯ブラシ２は、図５４に示されるアウターケース２０Ａおよび先端アタッチメント２０Ｃ、または図５５に示されるアウターケース２０Ａおよび先端アタッチメント２０Ｄを有する。以下では、図５４に示される変形例を「変形例Ｅ」とし、図５５に示される変形例を「変形例Ｆ」とする。
【０３０４】
図５４に示されるように、変形例Ｅのアウターケース２０Ａは、第１実施形態のアウターケース２０から先端結合部分２４が省略された形状を有する。また、先端アタッチメント２０Ｃを結合するための先端嵌合凸部２０Ｂを有する。先端アタッチメント２０Ｃの形状は、アウターケース２０において上部結合部分２１の先端部分を切断することにより、先端結合部分２４側の部品を上部結合部分２１から分離した形状に相当する。先端アタッチメント２０Ｃは、歯ブラシ側シール部材２６およびステインケアアタッチメント１００を有する。また、先端嵌合凸部２０Ｂが嵌め込まれる溝を内面側に有する（図示略）。ステインケアアタッチメント１００および先端アタッチメント２０Ｃは、ステインケアアタッチメント１００および先端結合部分２４の関係と同様の関係を有する。
【０３０５】
上部結合部分２１の先端嵌合凸部２０Ｂおよび先端アタッチメント２０Ｃは、相対的な回転位置に応じて互いに結合および分離される。すなわち、相対的な回転位置が進入位置のとき、先端嵌合凸部２０Ｂが先端アタッチメント２０Ｃの溝に進入する。そして、先端アタッチメント２０Ｃの溝に進入した状態において、相対的な回転位置が進入位置から結合位置に変化したとき、先端嵌合凸部２０Ｂおよび溝が互いに結合する。また、先端嵌合凸部２０Ｂおよび溝が互いに結合した状態において、相対的な回転位置が結合位置から進入位置に変化したとき、先端嵌合凸部２０Ｂおよび溝が互いに分離する。
【０３０６】
図５５に示されるように、変形例Ｆの電動歯ブラシ２は、変形例Ｅの先端アタッチメント２０Ｃに準じた構成を有する先端アタッチメント２０Ｄを有する。先端アタッチメント２０Ｄは、歯ブラシ側シール部材２６およびステインケアアタッチメント５００を有する。また、先端嵌合凸部２０Ｂが嵌め込まれる溝を内面側に有する（図示略）。ステインケアアタッチメント５００および先端アタッチメント２０Ｄは、変形例Ｅにおけるステインケアアタッチメント１００および先端アタッチメント２０Ｃの関係と同様の関係を有する。また、先端嵌合凸部２０Ｂおよび先端アタッチメント２０Ｄは、変形例Ｅにおける先端嵌合凸部２０Ｂおよび先端アタッチメント２０Ｃの関係と同様の関係を有する。
【０３０７】
変形例Ｅおよび変形例Ｆの電動歯ブラシ２は、以下の効果を奏する。
（Ａ）先端アタッチメント２０Ｃまたは２０Ｄを上部結合部分２１から分離した状態で清掃することができる。すなわち、優れた清掃性をユーザーに提供することが可能となる。
（Ｂ）先端アタッチメント２０Ｃまたは２０Ｄの効果にともない歯ブラシ側シール部材２６も交換される。このため、衛生面に関して優れたメンテナンス性をユーザーに提供することが可能となる。
（Ｃ）アウターケース２０における第２部品結合構造Ｖの部分（先端嵌合凸部２０Ｂ）が上部結合部分２１から突出しているため、第２部品結合構造Ｖとしての凹部を有する構成と比較して、アウターケース２０の清掃性が高くなる。
【０３０８】
・第１〜第３実施形態の電動歯ブラシ２は、電動モーター４１のスイッチとして機能する把持結合構造Ｕを有する。また、ユーザーが操作するための押しボタン式スイッチを有していない。一方、変形例の電動歯ブラシ２は、図５６に示されるように、電動モーター４１の電源をオンおよびオフするための押しボタンスイッチ９８を有する。また、装飾リング１２に代えて、把持外面７０Ｚおよびキャップ外面８０Ｚとともに一体的な外面を形成する装飾リング９９を有する。また、同変形例の把持結合構造Ｕは、電動モーター４１のスイッチとしての機能を有していない。以下では、図５６に示される変形例を「変形例Ｇ」とする。
【０３０９】
変形例Ｇの電動歯ブラシ２は、以下の効果を奏する。
（Ａ）把持結合構造Ｕの構成が簡素化される。
（Ｂ）電動歯ブラシ２にキャップ８０が結合されているとき、キャップ８０、装飾リング９９、および把持ケース７０の各外面により一体的な外面が形成される。なお、一体的な外面が形成される状態は、キャップ８０、装飾リング９９、および把持ケース７０のいずれか１つの部品の外面を延長して仮想面を形成したとき、他の部品の外面の全部がこの仮想面に属する状態を示す。
【０３１０】
・第２または第３実施形態の変形例の電動歯ブラシ２は、変形例Ａ〜Ｇの電動歯ブラシ２の構成に準じた構成を有する。この変形例の電動歯ブラシ２は、変形例Ａ〜Ｇの電動歯ブラシ２が奏する効果に準じた効果を奏する。
【０３１１】
・第１実施形態の電動歯ブラシ２は、アウターケース２０およびステインケアアタッチメント１００を互いに結合および分離する第２部品結合構造Ｖを有する。一方、変形例の電動歯ブラシ２は、ステインケアアタッチメント１００がアウターケース２０に固定された構造を有する。すなわちステインケアアタッチメント１００は、アウターケース２０から分離することができない。ステインケアアタッチメント１００の固定方法としては、例えば圧入または接着を用いることができる。この変形例の電動歯ブラシ２によれば、アウターケース２０からステインケアアタッチメント１００への振動の伝達効率が高くなる。このため、ステイン除去の効果も高くなる。
【０３１２】
・第１実施形態の電動歯ブラシ２は、ステインケアアタッチメント１００の挿入部分１３０（第２部品側嵌合部分ＶＢ）がアウターケース２０の先端結合部分２４に対して偏心した中心軸を有する。一方、変形例の電動歯ブラシ２は、アウターケース２０の先端結合部分２４およびステインケアアタッチメント１００の挿入部分１３０が同軸を有する。
【０３１３】
・第１実施形態の電動歯ブラシ２は、研磨剤入りシリコーンゴムにより形成されたステインケアアタッチメント１００を有する。一方、変形例の電動歯ブラシ２は、天然ゴムにより形成されたステインケアアタッチメント１００を有する。
【０３１４】
・第１実施形態の電動歯ブラシ２は、アタッチメント本体１１０および芯部材１４０により構成されるステインケアアタッチメント１００を有する。一方、変形例の電動歯ブラシ２は、ローレット加工が施された金属材料の部品をステインケアアタッチメントとして有する。
【０３１５】
・第１実施形態の電動歯ブラシ２は、第２機能部品としてステインケアアタッチメント１００を有する。一方、変形例の電動歯ブラシ２は、第２機能部品として爪磨き用アタッチメントまたは歯茎マッサージアタッチメントを有する。
【０３１６】
・第１実施形態の電動歯ブラシ２は、第１機能部品として歯ブラシアタッチメント５０を有し、第２機能部品としてステインケアアタッチメント１００を有する。一方、変形例の電動歯ブラシ２は、以下の（Ａ）〜（Ｆ）の組み合わせの第１機能部品および第２機能部品を有する。
【０３１７】
（Ａ）変形例の電動歯ブラシ２は、第１機能部品として歯ブラシアタッチメント５０を有する。また第２機能部品として、歯ブラシアタッチメント、歯茎マッサージアタッチメント、ポイント磨きブラシ、爪磨き用アタッチメント、歯磨剤チューブ、歯間ブラシアタッチメント、および振動調整用の鐘のいずれか１つの機能部品を有する。
【０３１８】
（Ｂ）変形例の電動歯ブラシ２は、第１機能部品として歯茎マッサージアタッチメントを有する。また第２機能部品として、歯ブラシアタッチメント、歯茎マッサージアタッチメント、ポイント磨きブラシ、爪磨き用アタッチメント、歯磨剤チューブ、振動調整用の鐘、歯間ブラシアタッチメント、およびステインケアアタッチメントのいずれか１つの機能部品を有する。
【０３１９】
（Ｃ）変形例の電動歯ブラシ２は、第１機能部品としてポイント磨きブラシを有する。また第２機能部品として、ポイント磨きブラシ、歯ブラシアタッチメント、歯茎マッサージアタッチメント、爪磨き用アタッチメント、歯磨剤チューブ、振動調整用の鐘、歯間ブラシアタッチメント、およびステインケアアタッチメントのいずれか１つの機能部品を有する。
【０３２０】
（Ｄ）変形例の電動歯ブラシ２は、第１機能部品として爪磨き用アタッチメントを有する。また第２機能部品として、歯ブラシアタッチメント、歯茎マッサージアタッチメント、ポイント磨きブラシ、歯磨剤チューブ、振動調整用の鐘、歯間ブラシアタッチメント、およびステインケアアタッチメントのいずれか１つの機能部品を有する。
【０３２１】
（Ｅ）変形例の電動歯ブラシ２は、第１機能部品としてステインケアアタッチメントを有する。また第２機能部品として、ステインケアアタッチメント、歯ブラシアタッチメント、歯茎マッサージアタッチメント、ポイント磨きブラシ、爪磨き用アタッチメント、歯磨剤チューブ、振動調整用の鐘、歯間ブラシアタッチメント、およびペースト剤チューブのいずれか１つの機能部品を有する。
【０３２２】
（Ｆ）変形例の電動歯ブラシ２は、第１機能部品として歯間ブラシアタッチメントを有する。また第２機能部品として、歯間ブラシアタッチメント、歯ブラシアタッチメント、歯茎マッサージアタッチメント、ポイント磨きブラシ、爪磨き用アタッチメント、歯磨剤チューブ、および振動調整用の鐘のいずれか１つの機能部品を有する。
【０３２３】
・上記（Ａ）〜（Ｆ）の変形例の電動歯ブラシ２のうちの振動調整用の錘を有する電動歯ブラシ２は、歯ブラシ本体１０および錘を互いに結合および分離する構造を有する。振動発生装置４０は、歯ブラシ本体１０に錘が結合されているとき、第１機能部品または第２機能部品に付与する振動が小さくなる。一方、歯ブラシ本体１０から錘が分離されているとき、錘が結合されているときと比較して、第１機能部品または第２機能部品に付与する振動が大きくなる。すなわち錘は、振動発生装置４０が第１機能部品または第２機能部品に付与する振動の大きさを調整する。
【０３２４】
・第２または第３実施形態の変形例の電動歯ブラシ２は、上記（Ａ）〜（Ｆ）の電動歯ブラシ２の構成に準じた構成を有する。この変形例の電動歯ブラシ２は、変形例Ａ〜Ｇの電動歯ブラシ２が奏する効果に準じた効果を奏する。
【０３２５】
・第１実施形態のステインケアアタッチメント１００は、前方窓部分２４Ｃおよび後方窓部分２４Ｄに対応する凸部を有していない。一方、変形例のステインケアアタッチメント１００は、前方窓部分２４Ｃに対応する前方嵌合凸部および後方窓部分２４Ｄに対応する後方嵌合凸部の少なくとも一方を有する。
【０３２６】
・第２実施形態の歯間ブラシアタッチメント２００は、後方窓部分２４Ｄに対応する後方嵌合凸部２２５を有し、かつ前方窓部分２４Ｃに対応する凸部を有していない。一方、変形例の歯間ブラシアタッチメント２００は、前方窓部分２４Ｃに対応する前方嵌合凸部をさらに有する。すなわち第２部品結合構造Ｖは、２つの第１追加嵌合部分としての前方窓部分２４Ｃおよび後方窓部分２４Ｄと、２つの第２追加嵌合部分としての前方嵌合凸部および後方嵌合凸部２２５とを互いに嵌め合わせることが可能な構造を有する。２つの第２追加嵌合部分は、挿入部分２２０の長手方向の中心軸を基準として互いに対向する位置関係を有する。この構成によれば、アウターケース２０および歯間ブラシアタッチメント２００を互いに結合する力が一層高くなる。
【０３２７】
・第３実施形態の歯間ブラシアタッチメント３００は、後方窓部分２４Ｄに対応する後方嵌合凸部３４７を有し、かつ前方窓部分２４Ｃに対応する凸部を有していない。一方、変形例の歯間ブラシアタッチメント３００は、前方窓部分２４Ｃに対応する前方嵌合凸部をさらに有する。すなわち第２部品結合構造Ｖは、２つの第１追加嵌合部分としての前方窓部分２４Ｃおよび後方窓部分２４Ｄと、２つの第２追加嵌合部分としての前方嵌合凸部および後方嵌合凸部３４７とを互いに嵌め合わせることが可能な構造を有する。２つの第２追加嵌合部分は、部品挿入部分３３３の長手方向の中心軸を基準として互いに対向する位置関係を有する。この構成によれば、アウターケース２０および歯間ブラシアタッチメント３００を互いに結合する力が一層高くなる。
【０３２８】
・第１〜第３実施形態の電動歯ブラシ２は、通電金具６７と回路基板６１の出力側の陽極端子との間に電流ヒューズ６２を有する。一方、変形例の電動歯ブラシ２は、陰極金具６３と回路基板６１の出力側の陰極端子との間に電流ヒューズ６２を有する。
【０３２９】
・第１〜第３実施形態の電動歯ブラシ２は、本体ケース１１とは別に構成された装飾リング１２を有する。一方、変形例の電動歯ブラシ２は、装飾リング１２に代えて、本体ケース１１の一部分として形成された装飾リング１２に相当する部分を有する。または、装飾リング１２に代えて、把持ケース７０の一部分として形成された装飾リング１２に相当する部分を有する。
【０３３０】
・第１〜第３実施形態の電動歯ブラシ２は、本体ケース１１に対する把持ケース７０の回転位置がオン位置のとき、把持外面７０Ｚがキャップ外面８０Ｚに対して一体的な外面を形成しない。一方、変形例の電動歯ブラシ２は、本体ケース１１に対する把持ケース７０の回転位置がオン位置のとき、およびオフ位置のときにおいて、把持外面７０Ｚがキャップ外面８０Ｚと一体的な外面を形成する。なお、一体的な外面を形成するとは、一方の外面を延長して仮想面を形成したとき、他方の外面の全部がこの仮想面に属する状態を示す。
【０３３１】
上記変形例の一例としての電動歯ブラシ２は、キャップ８０に代えてＸＹ平面の断面形状がＮ角形のキャップを有し、把持ケース７０に代えてＸＹ平面の断面形状がＮ角形の把持ケースを有する。Ｎ角形のキャップおよびＮ角形の把持ケースは、相対的な回転位置がオフ位置のときおよびオン位置のときのそれぞれにおいて、キャップおよび把持ケースの外面が一体的な外面を形成する。このとき、オフ位置からオン位置に変更するための把持ケースの回転角度は、「３６０度／Ｎ度」により規定される。
【０３３２】
・第１〜第３実施形態の電動歯ブラシ２は、把持結合構造Ｕとして本体ケース１１に対する把持ケース７０の回転が可能な構造を有する。一方、変形例の電動歯ブラシ２は、本体ケース１１に対する把持ケース７０の回転に代えてまたは加えて、本体ケース１１と把持ケース７０との長手方向における相対的な移動が可能な構造を有する。この電動歯ブラシ２は、把持ケース７０が本体ケース１１に対して長手方向の第１所定位置に位置するとき、電動モーター４１の電源をオフする。一方、把持ケース７０が本体ケース１１に対して長手方向の第２所定位置に位置するとき、電動モーター４１の電源をオンする。
【０３３３】
・第１〜第３実施形態の電動歯ブラシ２の把持結合構造Ｕは、本体ケース１１に対して把持ケース７０全体が回転する構造を有する。一方、変形例の電動歯ブラシ２の把持結合構造Ｕは、本体ケース１１に対して個別に回転することが可能な２つの把持ケース（以下、「分割把持ケース」）を有する。分割把持ケースは、下側壁部７２からＺ方向の中間部分までを含む下方分割ケースと、中間部分から開口部分７３までを含む上方分割ケースとを有する。下方分割ケースおよび上方分割ケースを合わせた分割把持ケースの構成は、把持ケース７０の構成に準じている。この変形例の把持結合構造Ｕは、本体ケース１１に対して下方分割ケースが回転する構造を有する。本体ケース１１および下方分割ケースの相対的な回転状態は、本体ケース１１および把持ケース７０の相対的な回転状態と同様に分離状態、オフ状態、およびオン状態を有する。
【０３３４】
・第１〜第３実施形態の電動歯ブラシ２は、アウターケース２０の上部結合部分２１内に電動モーター４１を有する。一方、変形例の電動歯ブラシ２は、中間結合部分２２内に電動モーター４１を有する。または、中間結合部分２２および下部結合部分２３にまたがり電動モーター４１を有する。
【０３３５】
・第１〜第３実施形態の装飾リング１２は、携帯型口腔衛生装置１の設置面に対して装飾面１２Ｚが２点以上で接触する構造を有する。一方、変形例の装飾リング１２は、携帯型口腔衛生装置１の設置面に接触する平面を有する。平面は、携帯型口腔衛生装置１が設置面に対して回転することを規制する。
【０３３６】
・第１〜第３実施形態の携帯型口腔衛生装置１は、電動歯ブラシ２およびキャップ８０を有する。一方、変形例の携帯型口腔衛生装置１は、キャップ８０を省略している。すなわち、電動歯ブラシ２単独が携帯型口腔衛生装置１の全体を構成する。
【０３３７】
・第１〜第３実施形態の電動歯ブラシ２は、電源として乾電池３を有する。一方、変形例の電動歯ブラシ２は、電源として２次電池を有する。
・本発明は、第１〜第３実施形態に例示される携帯型口腔衛生装置１以外の他の口腔衛生装置に適用することもできる。他の口腔衛生装置としては、例えばステイン除去装置が挙げられる。ステイン除去装置は、歯を研磨する研磨部分と、研磨部分を振動させる電動モーターと、電動モーターを保持する本体ケースと、本体ケースの外面を覆う把持ケースとを有する。
【０３３８】
なお、第１〜第３実施形態およびその他の実施形態の各用語は、請求項に記載される各用語と次の対応関係を有する。携帯型口腔衛生装置１は、「口腔衛生装置」に対応する。電動歯ブラシ２は、請求項の「電動歯ブラシ」に相当する。歯ブラシ本体１０は、請求項の「装置本体」に対応する。上部結合部分２１および先端結合部分２４は、請求項の「挿入部分」に相当する。先端結合部分２４は、請求項の「本体結合部分」に対応する。取付溝２４Ｂは、請求項の「取付溝」に対応する。通気溝２４Ｆは、請求項の「通気溝」に対応する。歯ブラシ側シール部材２６は、請求項の「侵入規制構造」および「弾性部材」に対応する。環状部分２６Ａは、請求項の「基礎弾性部」に対応する。突出部分２６Ｂは、請求項の「変形弾性部」に対応する。電動モーター４１は、請求項の「電動モーター」に対応する。歯ブラシアタッチメント５０は、請求項の「機能部品」、「第１機能部品」、および「歯ブラシ部品」に対応する。連通孔９５は、請求項の「通気部分」および「連通孔」に対応する。半透過膜９７は、請求項の「通気部分」および「半透過膜」に対応する。ステインケアアタッチメント１００は、請求項の「機能部品」および「第２機能部品」に対応する。歯間ブラシアタッチメント２００は、請求項の「機能部品」および「第２機能部品」に対応する。歯間ブラシアタッチメント３００は、請求項の「機能部品」および「第２機能部品」に対応する。ステインケアアタッチメント５００は、請求項の「機能部品」および「第２機能部品」に対応する。第１部品結合構造Ｓは、請求項の「第１部品結合構造」に対応する。第２部品結合構造Ｖは、請求項の「第２部品結合構造」に対応する。アウター側嵌合部分ＶＡは、請求項の「挿入部分」に対応する。
【符号の説明】
【０３３９】
１…携帯型口腔衛生装置、２…電動歯ブラシ、１０…歯ブラシ本体、２１…上部結合部分、２４…先端結合部分、２４Ｂ…取付溝、２４Ｆ…通気溝、２６…歯ブラシ側シール部材、２６Ａ…環状部分、２６Ｂ…突出部分、４１…電動モーター、５０…歯ブラシアタッチメント、９５…連通孔、９７…半透過膜、１００…ステインケアアタッチメント、２００…歯間ブラシアタッチメント、３００…歯間ブラシアタッチメント、Ｓ…第１部品結合構造、Ｖ…第２部品結合構造、ＶＡ…アウター側嵌合部分。
【図１】
0005991653.tif 000002
【図２】
0005991653.tif 000003
【図３】
0005991653.tif 000004
【図４】
0005991653.tif 000005
【図５】
0005991653.tif 000006
【図６】
0005991653.tif 000007
【図７】
0005991653.tif 000008
【図８】
0005991653.tif 000009
【図９】
0005991653.tif 000010
【図１０】
0005991653.tif 000011
【図１１】
0005991653.tif 000012
【図１２】
0005991653.tif 000013
【図１３】
0005991653.tif 000014
【図１４】
0005991653.tif 000015
【図１５】
0005991653.tif 000016
【図１６】
0005991653.tif 000017
【図１７】
0005991653.tif 000018
【図１８】
0005991653.tif 000019
【図１９】
0005991653.tif 000020
【図２０】
0005991653.tif 000021
【図２１】
0005991653.tif 000022
【図２２】
0005991653.tif 000023
【図２３】
0005991653.tif 000024
【図２４】
0005991653.tif 000025
【図２５】
0005991653.tif 000026
【図２６】
0005991653.tif 000027
【図２７】
0005991653.tif 000028
【図２８】
0005991653.tif 000029
【図２９】
0005991653.tif 000030
【図３０】
0005991653.tif 000031
【図３１】
0005991653.tif 000032
【図３２】
0005991653.tif 000033
【図３３】
0005991653.tif 000034
【図３４】
0005991653.tif 000035
【図３５】
0005991653.tif 000036
【図３６】
0005991653.tif 000037
【図３７】
0005991653.tif 000038
【図３８】
0005991653.tif 000039
【図３９】
0005991653.tif 000040
【図４０】
0005991653.tif 000041
【図４１】
0005991653.tif 000042
【図４２】
0005991653.tif 000043
【図４３】
0005991653.tif 000044
【図４４】
0005991653.tif 000045
【図４５】
0005991653.tif 000046
【図４６】
0005991653.tif 000047
【図４７】
0005991653.tif 000048
【図４８】
0005991653.tif 000049
【図４９】
0005991653.tif 000050
【図５０】
0005991653.tif 000051
【図５１】
0005991653.tif 000052
【図５２】
0005991653.tif 000053
【図５３】
0005991653.tif 000054
【図５４】
0005991653.tif 000055
【図５５】
0005991653.tif 000056
【図５６】
0005991653.tif 000057